(57)【要約】  方法、システム、およびデバイスが、複数のコンポーネントキャリア（ＣＣ）上の下りリンク送信に関連したフィードバックのバンドルについて記載される。いくつかの例では、基地局は、複数キャリアの移動体デバイスが電力を制限されていると判断した場合、異なるフィードバックバンドル形式を用いるように複数キャリアの移動体デバイスを構成する。移動体デバイスのために構成されたバンドル形式は、一部、下りリンクＣＣの１またはそれより多くの送信モードにもとづきえる。バンドル形式は、バンドル技術の組み合わせと、これらの技術が適用される順番とを含み得る。特に、バンドル技術は、空間的バンドルおよび／またはフィードバック反復と組み合わせたＣＣバンドルを含む。効率性と性能のために、バンドル形式は、フィードバック反復の使用に頼る前に、ＣＣバンドルの適用を要してもよい。
2013537778.tif 000002
【特許請求の範囲】
【請求項１】
ワイヤレス通信の方法であって、
少なくとも１つの上りリンク上で、移動体デバイスが電力を制限されていることを決定することと、
前記移動体デバイスが電力を制限されているとの決定にもとづいて、２つまたはそれより多くの下りリンクコンポーネントキャリア上での下りリンク送信モードを特定することと、
前記２つまたはそれより多くの下りリンクコンポーネントキャリア上での前記下りリンク送信の受信を確認するために、前記少なくとも１つの上りリンクキャリア上での少なくとも１つのフィードバックバンドル形式を特定することと、
を備える方法。
【請求項２】
前記特定されたフィードバックバンドル形式を、前記移動体デバイスに信号伝送すること、をさらに備える、請求項１の方法。
【請求項３】
前記特定された下りリンク送信にしたがって、前記２つまたはそれより多くの下りリンクコンポーネントキャリアを用いて、前記移動体デバイスに情報を送信することと、
前記特定されたフィードバックバンドル形式にしたがって前記移動体デバイスからフィードバックを受信することと、
をさらに備える、請求項１の方法。
【請求項４】
前記受信されたフィードバックにもとづいて、前記移動体デバイスによる前記送信された情報の受信を決定することと、
前記情報の決定された受信にもとづいて、前記情報の少なくとも一部を再送信することと、
をさらに備える、請求項３の方法。
【請求項５】
前記少なくとも１つのフィードバックバンドル形式は、単一の肯定応答／否定応答（ＡＣＫ／ＮＡＣＫ）の中に、２つまたはそれより多くの下りリンクコンポーネントキャリアの各々ためのＡＣＫ／ＮＡＣＫをバンドルするための形式を備える、請求項１の方法。
【請求項６】
前記少なくとも１つのフィードバックバンドル形式は、単一の下りリンクコンポーネントキャリアの中の複数の符号ワードに対応する肯定応答／否定応答（ＡＣＫ／ＮＡＣＫ）を、単一のＡＣＫ／ＮＡＣＫの中にバンドルするための形式を備える、請求項１の方法。
【請求項７】
前記少なくとも１つのフィードバックバンドル形式は、２つまたはそれより多くの下りリンクコンポーネントキャリアにわたって肯定応答／否定応答（ＡＣＫ／ＮＡＣＫ）をバンドルし、少なくとも１つの他の下りリンクコンポーネントキャリアのための２つの符号ワードからのＡＣＫ／ＮＡＣＫを、単一のＡＣＫ／ＮＡＣＫの中にバンドルするための形式を備える、請求項１の方法。
【請求項８】
前記少なくとも１つのフィードバックバンドル形式は、時分割多重（ＴＤＤ）コンポーネントキャリアにおける２つまたはそれより多くのサブフレームのための肯定応答／否定応答（ＡＣＫ／ＮＡＣＫ）を、単一のＡＣＫ／ＮＡＣＫにバンドルするための形式を備える、請求項１の方法。
【請求項９】
前記少なくとも１つのフィードバックバンドル形式は、前記２つまたはそれより多くの下りリンクコンポーネントキャリアにわたって肯定応答／否定応答（ＡＣＫ／ＮＡＣＫ）をバンドルすることを備える第１の副形式と、
ＡＣＫ／ＮＡＣＫの反復を行うことを備える第２の副形式、ここで、第２の副形式は、第１の副形式と関連して利用される、と、
を備える、請求項１の方法。。
【請求項１０】
前記移動体デバイスが上りリンク上で電力を制限されていることを決定することは、前記移動体デバイスから受信された電力のヘッドルームの報告にもとづく、請求項１の方法。
【請求項１１】
フィードバックバンドル形式に関連して、１つまたはそれより多くの信号の送信をキャンセルするために、前記移動体デバイスを構成すること、をさらに備える、請求項１の方法。
【請求項１２】
前記構成は、チャネル状態情報（ＣＳＩ）のフィードバックの送信をキャンセルするために、前記移動体デバイスを構成すること、をさらに備える、請求項１１の方法。
【請求項１３】
前記下りリンク送信のためのモードを特定することは、２つまたはそれより多くの下りリンクコンポーネントキャリアのための単一の符号ワード送信モードを選択することを備える、請求項１の方法。
【請求項１４】
前記移動体デバイスと通信するために、複数の下りリンクコンポーネントキャリアを構成することと、
前記構成された下りリンクコンポーネントキャリアのサブセット上の通信をスケジュールすること、ここで、前記少なくとも１つのフィードバックバンドル形式は、前記スケジュールされた下りリンクコンポーネントキャリアのための肯定応答／否定応答（ＡＣＫ／ＮＡＣＫ）を、単一のＡＣＫ／ＮＡＣＫの中にバンドルするための形式を具備する、と、
をさらに備える、請求項１の方法。
【請求項１５】
前記移動体デバイスと通信するために、複数の下りリンクコンポーネントキャリアを構成することと、
前記構成された下りリンクコンポーネントキャリアのサブセットを起動することと、
をさらに備え、
ここで、前記少なくとも１つのフィードバックバンドル形式は、前記起動された下りリンクコンポーネントキャリアについての肯定応答／否定応答（ＡＣＫ／ＮＡＣＫ）を、単一のＡＣＫ／ＮＡＣＫの中にバンドルするための形式を備える、請求項１の方法。
【請求項１６】
前記起動された下りリンクコンポーネントキャリアのサブセット上で通信をスケジュールすることを備え、
ここで、前記少なくとも１つのフィードバックバンドル形式は、前記スケジュールされた下りリンクコンポーネントキャリアのための肯定応答／否定応答（ＡＣＫ／ＮＡＣＫ）を単一のＡＣＫ／ＮＡＣＫの中にバンドルするための形式を備える、請求項１５の方法。
【請求項１７】
前記移動体デバイスに、前記スケジュールされた下りリンクコンポーネントキャリアを通知することをさらに備える、請求項１６の方法。
【請求項１８】
前記コンポーネントキャリアの周波数帯域にもとづいて、前記下りリンクコンポーネントキャリアの第１のサブセットを特定することと、
下りリンクコンポーネントキャリアの前記第１のサブセットのための肯定応答／否定応答（ＡＣＫ／ＮＡＣＫ）を、単一のＡＣＫ／ＮＡＣＫの中にバンドルするために前記移動体デバイスを構成することと、
をさらに備える、請求項１の方法。
【請求項１９】
ワイヤレス通信装置であって、
少なくとも１つの上りリンク上で、移動体デバイスが電力を制限されていることを決定するための手段と、
前記移動体デバイスが電力を制限されているとの決定にもとづいて、２つまたはそれより多くの下りリンクコンポーネントキャリア上での下りリンク送信モードを特定するための手段と、
前記２つまたはそれより多くの下りリンクコンポーネントキャリア上での前記下りリンク送信の受信を確認するために、前記少なくとも１つの上りリンクキャリア上での少なくとも１つのフィードバックバンドル形式を特定するための手段と、
を備える装置。
【請求項２０】
前記少なくとも１つのフィードバックバンドル形式は、単一の下りリンクコンポーネントキャリアの中の複数の符号ワードに対応する肯定応答／否定応答（ＡＣＫ／ＮＡＣＫ）を、単一のＡＣＫ／ＮＡＣＫの中にバンドルするための形式を備える、請求項１９の装置。
【請求項２１】
前記少なくとも１つのフィードバックバンドル形式は、２つまたはそれより多くの下りリンクコンポーネントキャリアにわたって肯定応答／否定応答（ＡＣＫ／ＮＡＣＫ）をバンドルし、少なくとも１つの他の下りリンクコンポーネントキャリアのための２つの符号ワードからのＡＣＫ／ＮＡＣＫを、単一のＡＣＫ／ＮＡＣＫの中にバンドルするための形式を備える、請求項１９の装置。
【請求項２２】
前記少なくとも１つのフィードバックバンドル形式は、前記２つまたはそれより多くの下りリンクコンポーネントキャリアにわたって肯定応答／否定応答（ＡＣＫ／ＮＡＣＫ）をバンドルし、少なくとも１つの他の下りリンクコンポーネントキャリアのための２つの符号ワードからのＡＣＫ／ＮＡＣＫを単一のＡＣＫ／ＮＡＣＫにバンドルするための形式を備える、請求項１９の装置。。
【請求項２３】
前記少なくとも１つのフィードバックバンドル形式は、
前記２つまたはそれより多くの下りリンクコンポーネントキャリアにわたって肯定応答／否定応答（ＡＣＫ／ＮＡＣＫ）をバンドルすることを備える第１の副形式と、
ＡＣＫ／ＮＡＣＫの反復を行うことを備える第２の副形式と、
を備え、
ここで、第２の副形式は、第１の副形式と関連して利用される、請求項１９の装置。
【請求項２４】
前記移動体デバイスと通信するために、複数の下りリンクコンポーネントキャリアを構成するための手段と、
前記構成された下りリンクコンポーネントキャリアのサブセット上の通信をスケジュールするための手段と、
をさらに備え、
ここで、前記少なくとも１つのフィードバックバンドル形式は、前記スケジュールされた下りリンクコンポーネントキャリアのための肯定応答／否定応答（ＡＣＫ／ＮＡＣＫ）を、単一のＡＣＫ／ＮＡＣＫの中にバンドルするための形式を具備する、と、
をさらに備える、請求項１９の装置。
【請求項２５】
ワイヤレス通信装置であって、
移動体デバイスが少なくとも１つの上りリンクキャリア上で電力を制限されていることを決定するために構成される電力ヘッドルーム決定モジュールと、
前記電力ヘッドルーム決定モジュールとの通信にあり、前記移動体デバイスが電力を制限されているとの前記決定にもとづいて、２つまたはそれより多くの下りリンクコンポーネントキャリア上での下りリンク送信モードを特定するよう構成される、下りリンクモード特定モジュールと、
前記下りリンクモード通信モジュールとの通信にあり、前記２つまたはそれより多くの下りリンクコンポーネントキャリア上での前記下りリンク送信の受信を確認するための、前記少なくとも１つの上りリンクキャリア上での少なくとも１つのフィードバックバンドル形式を特定するよう構成される、フィードバックバンドル形式モジュールと、
を備える装置。
【請求項２６】
前記少なくとも１つのフィードバックバンドル形式は、２つまたはそれより多くの前記下りリンクコンポーネントキャリアにわたる肯定応答／否定応答（ＡＣＫ／ＮＡＣＫ）を、単一のＡＣＫ／ＮＡＣＫの中にバンドルするための形式を備える、請求項２５の装置。
【請求項２７】
前記少なくとも１つのフィードバックバンドル形式は、単一の下りリンクコンポーネントキャリアの中の複数の符号ワードからの肯定応答／否定応答（ＡＣＫ／ＮＡＣＫ）を、単一のＡＣＫ／ＮＡＣＫの中にバンドルするための形式を備える、請求項２５の装置。
【請求項２８】
前記少なくとも１つのフィードバックバンドル形式は、前記２つまたはそれより多くの下りリンクコンポーネントキャリアにわたる肯定応答／否定応答（ＡＣＫ／ＮＡＣＫ）をバンドルし、少なくとも１つの他の下りリンクコンポーネントキャリアのための２つの符号ワードからのＡＣＫ／ＮＡＣＫを、単一のＡＣＫ／ＮＡＣＫの中にバンドルするための形式を備える、請求項２５の装置。
【請求項２９】
前記少なくとも１つのフィードバックバンドル形式は、
２つまたはそれより多くの下りリンクコンポーネントキャリアにわたる肯定応答／否定応答（ＡＣＫ／ＮＡＣＫ）をバンドルすることを備える第１の副形式と、
ＡＣＫ／ＮＡＣＫの反復を行うことを備える第２の副形式とを備え
ここで、第２の副形式は、第１の副形式と関連して利用される、
請求項２５の装置。
【請求項３０】
下りリンクモード特定モジュールは、さらに、
前記移動体デバイスと通信するために複数の下りリンクコンポーネントキャリアを構成することと、
前記構成された下りリンクコンポーネントキャリアのサブセット上で通信をスケジュールすること、ここで、前記少なくとも１つのフィードバックバンドル形式は、前記スケジュールされた下りリンクコンポーネントキャリアのための肯定応答／否定応答（ＡＣＫ／ＮＡＣＫ）を、単一のＡＣＫ／ＮＡＣＫの中にバンドルするための形式を備える、と、
のために構成される、請求項２５の装置。
【請求項３１】
前記装置はプロセッサを備える、請求項２５の装置。
【請求項３２】
ワイヤレス通信のためのコンピュータプログラム製品であり、
移動体デバイスが、少なくとも１つの上りリンクキャリア上で電力を制限されていることを決定するためのコードと、
前記移動体デバイスが電力を制限されているとの決定にもとづいて、２つまたはそれより多くの下りリンクコンポーネントキャリア上で下りリンク送信モードを特定するためのコードと、
前記２つまたはそれより多くの下りリンクコンポーネントキャリア上の前記下りリンク送信の受信を確認するために、前記少なくとも１つの上りリンクキャリア上の少なくとも１つのフィードバックバンドル形式を特定するためにコードと、
を備えるコンピュータ可読媒体を備える、コンピュータプログラム製品。
【請求項３３】
前記少なくとも１つのフィードバックバンドル形式は、
２つまたはそれより多くの前記下りリンクコンポーネントキャリアにわたる肯定応答／否定応答（ＡＣＫ／ＮＡＣＫ）を、単一のＡＣＫ／ＮＡＣＫの中にバンドルするための形式を備える、
請求項３２のコンピュータプログラム製品。
【請求項３４】
前記少なくとも１つのフィードバックバンドル形式は、
単一の下りリンクコンポーネントキャリアの中の複数の符号ワードからの肯定応答／否定応答（ＡＣＫ／ＮＡＣＫ）を、単一のＡＣＫ／ＮＡＣＫの中にバンドルするための形式を備える、
請求項３２のコンピュータプログラム製品。
【請求項３５】
前記少なくとも１つのフィードバックバンドル形式は、
前記２つまたはそれより多くの下りリンクコンポーネントキャリアのための肯定応答／否定応答（ＡＣＫ／ＮＡＣＫ）をバンドルし、少なくとも１つの他の下りリンクコンポーネントキャリアのための２つの符号ワードからのＡＣＫ／ＮＡＣＫを、単一のＡＣＫ／ＮＡＣＫの中にバンドルするための形式を備える、請求項３２のコンピュータプログラム製品。
【請求項３６】
前記少なくとも１つのフィードバックバンドル形式は、
前記２つまたはそれより多くの下りリンクコンポーネントキャリアをわたる肯定応答／否定応答（ＡＣＫ／ＮＡＣＫ）をバンドルすることを備える第１のサブ形式と、
ＡＣＫ／ＮＡＣＫの反復を行うことを備える第２のサブ形式と、
を備え、
前記第２のサブ形式は、前記第１のサブ形式に関連して利用される、
請求項３２のコンピュータプログラム製品。
【請求項３７】
前記移動体デバイスと通信するための複数の下りリンクコンポーネントキャリアを構成するためのコードと、
前記構成された下りリンクコンポーネントキャリアのサブセット上の通信をスケジュールするためのコード、ここで、前記少なくとも１つのフィードバックバンドル形式は、前記スケジュールされた下りリンクコンポーネントキャリアのための肯定応答／否定応答（ＡＣＫ／ＮＡＣＫ）を、単一のＡＣＫ／ＮＡＣＫの中にバンドルするための形式を備える、と、
をさらに備える、請求項３２のコンピュータプログラム製品。
【請求項３８】
ワイヤレス通信装置は、
基地局からの複数のコンポーネントキャリア上の複数の下りリンク送信を受信するように構成される受信機と、
前記複数のコンポーネントキャリアに関連した下りリンク送信モードを特定するように構成される下りリンクモード特定モジュールと、
前記複数のコンポーネントキャリア上での下りリンク送信の受信を確認するためのフィードバックバンドル形式を特定するように構成されるフィードバック形式特定モジュール、前記フィードバックバンドル形式は、前記装置の電力を制限された状態に少なくとも部分的にもとづく、と、
前記特定されたフィードバックバンドル形式にしたがって、前記下りリンクコンポーネントキャリア上で前記下りリンク送信の受信を確認するフィードバックをバンドルするように構成されるフィードバック生成モジュールと、
前記基地局に、上りリンクキャリア上で、前記バンドルされたフィードバックを送信するように構成される送信機と、
を備える装置。
【請求項３９】
前記少なくとも１つのフィードバックバンドル形式は、
下りリンクコンポーネントキャリアにわたる肯定応答／否定応答（ＡＣＫ／ＮＡＣＫ）を、単一のＡＣＫ／ＮＡＣＫの中にバンドルするための形式を備える、
請求項３８の装置。
【請求項４０】
前記少なくとも１つのフィードバックバンドル形式は、
単一の下りリンクコンポーネントキャリアの中の複数の符号ワードからの肯定応答／否定応答（ＡＣＫ／ＮＡＣＫ）を、単一のＡＣＫ／ＮＡＣＫの中にバンドルするための形式を備える、
請求項３８の装置。
【請求項４１】
前記少なくとも１つのフィードバックバンドル形式は、
コンポーネントキャリアにわたる肯定応答／否定応答（ＡＣＫ／ＮＡＣＫ）をバンドルし、さらに、少なくとも１つの他のコンポーネントキャリアのための２つの符号ワードからのＡＣＫ／ＮＡＣＫを、単一のＡＣＫ／ＮＡＣＫの中にバンドルするための形式を備える、
請求項３８の装置。
【請求項４２】
前記少なくとも１つのフィードバックバンドル形式は、
前記２つまたはそれより多くの下りリンクコンポーネントキャリアにわたる肯定応答／否定応答（ＡＣＫ／ＮＡＣＫ）をバンドルすることを備える第１の副形式と、
ＡＣＫ／ＮＡＣＫの反復を行うことを備える第２の副形式、ここで、第２の副形式は、第１の副形式と関連して利用される、と、
を備える、請求項３８の装置。
【請求項４３】
移動体デバイスからのワイヤレス通信の方法であって、
基地局から、複数の下りリンクコンポーネントキャリア上で下りリンク送信を受信することと、
前記受信された下りリンク通信と関連した送信モードを特定することと、
前記下りリンク送信の受信を確認するために少なくとも１つの上りリンクキャリア上の少なくとも１つのフィードバックバンドル形式を特定すること、前記フィードバックバンドル形式は、前記移動体デバイスの電力を制限された状態に関連する、と、
前記フィードバックバンドル形式にしたがって、前記下りリンクコンポーネントキャリア上の前記下りリンク送信の受信を確認するフィードバックをバンドルすることと、
前記少なくとも１つの上りリンクキャリア上で、前記基地局に、前記バンドルされたフィードバックを送信することと、
を備える方法は。
【請求項４４】
少なくとも１つ上りリンクキャリア上で、基地局に、送信電力情報を与えること、
をさらに備える請求項４３の方法。
【請求項４５】
前記少なくとも１つのフィードバックバンドル形式は、
前記コンポーネントキャリアをわたる肯定応答／否定応答（ＡＣＫ／ＮＡＣＫ）を、単一のＡＣＫ／ＮＡＣＫの中にバンドルするための形式を備える、
請求項４３の方法。
【請求項４６】
前記少なくとも１つのフィードバックバンドル形式は、
単一のコンポーネントキャリアの中の複数の符号ワードからの肯定応答／否定応答（ＡＣＫ／ＮＡＣＫ）を、単一のＡＣＫ／ＮＡＣＫの中にバンドルするための形式を備える、
請求項４３の方法。
【請求項４７】
前記少なくとも１つのフィードバックバンドル形式は、
２つまたはそれより多くの前記下りリンクコンポーネントキャリアにわたる肯定応答／否定応答（ＡＣＫ／ＮＡＣＫ）をバンドルすることを備える第１の副形式と、
ＡＣＫ／ＮＡＣＫの反復を行うことを備える第２の副形式、ここで、前記第２の副形式は、前記第１の副形式に関連して利用される、と、
を備える、請求項４３の方法。
【発明の詳細な説明】
【関連出願】
【０００１】
本特許出願は、２０１０年８月１３日に出願され、１０２５９７Ｐ１号の代理人整理番号をもつ、米国仮特許出願第６１／３７３，７７３、および、２０１１年８月８日に出願され、１０２５７号の代理人整理番号をもつ、米国特許出願第１３／２０５，３６５に優先権を主張しており、これらの出願は本願の譲受人に譲渡され、参照によって本願に明示的に組み込まれる。
【技術分野】
【０００２】
ワイヤレス通信システムは、音声、データ、等々の様々な形の通信コンテンツを提供するために広く使用される。
【背景技術】
【０００３】
これらのシステムは、利用可能なシステムリソース（例えば、帯域幅および送信電力）を共用することによって、複数のユーザとの通信をサポートすることができる多元接続（multiple-access）システムであってよい。そのような多元接続システムの例は、符号分割多元接続（code division multiple access (CDMA)）システム、時分割多元接続（time division multiple access (TDMA)）システム、周波数分割多元接続（frequency division multiple access (FDMA)）システム、３ＧＰＰロングタームエボリューション（3 GPP Long Term Evolution (LTE)）システム、および、直交周波数分割多元接続（orthogonal frequency division multiple access (OFDMA)）システムを含む。
【０００４】
一般に、ワイヤレス多元接続通信システムは、複数のワイヤレス端末のための通信を、同時にサポートすることができる。各端末は、順方向と逆方向のリンク上での送信を介して、１つまたはそれより多くの基地局と通信する。順方向リンク（または、下りリンク）は基地局から端末への通信リンクをいい、逆方向リンク（上りリンク）は端末から基地局への通信リンクをいう。この通信リンクは、単一入力−単一出力、複数入力−単一出力、複数入力−複数出力（ＭＩＭＯ）を介して確立され得る。
【０００５】
また、フィードバック機構が、ハイブリッド自動再送信／要求（hybrid automatic repeat/request (HARQ)）または類似の機構などとして、ワイヤレス通信システムにより使用されることができ、第１のノードは、第２のノードからの通信に対して肯定応答（acknowledgement (ACK)）または否定応答（negative-acknowledgement (NACK)）を報告することができる。これについて、第２のノードは、第１のノードによりＮＡＣＫが報告された通信を再送信することができる。加えて、ＬＴＥアドバンスト（LTE- Advanced (LTE-A)）システムにおいて、ワイヤレス端末は、スループット（処理能力）および／またはダイバーシチを向上するために、１またはそれより多くの基地局からの２またはそれより多くのコンポーネントキャリアを用いて構成され得る。複数のコンポーネントキャリアについてフィードバックを送信することは、ワイヤレス端末において追加のリソースを必要とし、それは、電力を消費し、データレートを阻害する。
【発明の概要】
【０００６】
方法、システム、およびデバイスが、複数のコンポーネントキャリア（ＣＣ）上の下りリンク送信に関連したフィードバックのバンドル（束ねること）バンドルについて記載される。いくつかの例では、基地局は、複数キャリアの移動体デバイスが電力を制限されていると判断した場合、異なるフィードバックバンドル形式を用いるように複数キャリアの移動体デバイスを構成する。移動体デバイスのために構成されたバンドル形式は、一部、下りリンクＣＣの送信モードにもとづき得る。バンドル形式は、バンドル技術の組み合わせと、これらの技術が適用される順番とを含み得る。特に、バンドル技術は、空間的バンドルおよび／またはフィードバック反復と組み合わせたＣＣバンドルを含む。効率性と性能のために、バンドル形式は、フィードバック反復の使用に頼る前に、ＣＣバンドルの適用を特定し得る。
【０００７】
移動体デバイスのために１つまたは複数のフィードバックバンドル形式を特定する方法は：
少なくとも１つの上りリンク上で、移動体デバイスが電力を制限されていることを決定することと、
移動体デバイスが電力を制限されているとの決定にもとづいて、２つまたはそれより多くの下りリンクコンポーネントキャリアのための下りリンク送信モードを特定することと、
２つまたはそれより多くの下りリンクコンポーネントキャリア上での下りリンク送信の受信を確認するために、少なくとも１つの上りリンクキャリア上での少なくとも１つのフィードバックバンドル形式を特定することと、
を備え得る。
【０００８】
方法は、また、特定されたフィードバックバンドル形式を移動体デバイスに知らせることを含む。例えば、方法は、さらに、
下りリンク送信モードにしたがって２つまたはそれより多くの下りリンクコンポーネントキャリアを用いる移動体デバイスに情報を送信することと、
特定されたフィードバックバンドル形式にしたがって移動体デバイスからフィードバックを受信することと、
を備える。他の例では、方法は、また、
受信されたフィードバックにもとづいて、送信された情報の移動体デバイスによる受信を決定することと、
情報の決定された受信にもとづいて、情報の少なくとも一部を再送信することと、
を含む。
【０００９】
少なくとも１つのフィードバックバンドル形式は、例えば、
単一の肯定応答／否定応答（ＡＣＫ／ＮＡＣＫ）の中に、２つまたはそれより多くの下りリンクコンポーネントキャリアの各々ためのＡＣＫ／ＮＡＣＫをバンドルするための形式と、
単一のＡＣＫ／ＮＡＣＫの中に、単一の下りリンクコンポーネントキャリアの中の複数の符号ワードに対応するＡＣＫ／ＮＡＣＫをバンドルするための形式と、
２つまたはそれより多くの下りリンクコンポーネントキャリアのためのＡＣＫ／ＮＡＣＫをバンドルし、少なくとも１つの他の下りリンクコンポーネントキャリアのための２つの符号ワードからのＡＣＫ／ＮＡＣＫを、単一のＮＡＣＫ／ＡＣＫの中にバンドルするための形式と、
時分割多重（time division duplex (TDD)）コンポーネントキャリアにおける２つまたはそれより多くのサブフレームのためのＡＣＫ／ＮＡＣＫを、単一のＡＣＫ／ＮＡＣＫにバンドルするための形式と、
の１つまたはそれより多くを備える。
【００１０】
１つの例において、少なくとも１つのフィードバックバンドル形式は、
２つまたはそれより多くの下りリンクコンポーネントキャリアのためにＡＣＫ／ＮＡＣＫをバンドルすることを備える第１の副形式と、
ＡＣＫ／ＮＡＣＫの反復を行うことを備える第２の副形式、ここで、第２の副形式は、第１の副形式と関連して利用される、と、
を備える。
【００１１】
移動体デバイスが上りリンク上で電力を制限されていることを決定することは、移動体デバイスから受信された電力のヘッドルーム（上方の余裕分）の報告にもとづき得る。方法は、また、フィードバックバンドル形式に関連して、１つまたはそれより多くの信号の送信をキャンセルするために、移動体デバイスを構成することを含み得る。そのような構成は、例えば、チャネル品質情報（Channel-Quality-Information）とチャネル状態情報（Channel-State-Information）（ＣＱＩ／ＣＳＩ）のフィードバックの送信をキャンセルするために、移動体デバイスを構成する。
【００１２】
下りリンク送信のためのモードを特定することは、例えば、単一の符号ワード送信モードを選択することを備える。他の例において、方法は、さらに、
移動体デバイスと通信するために、複数の下りリンクコンポーネントキャリアを構成することと、
構成された下りリンクコンポーネントキャリアのサブセット上の通信をスケジュールすること、ここで、少なくとも１つのフィードバックバンドル形式は、単一のＡＣＫ／ＮＡＣＫの中に、スケジュールされた下りリンクコンポーネントキャリアをまたがってＡＣＫ／ＮＡＣＫをバンドルするための形式を備える、と、
を具備する。他の例は、さらに、
移動体デバイスと通信するために、複数の下りリンクコンポーネントキャリアを構成することと、
構成された下りリンクコンポーネントキャリアのサブセットを起動すること、少なくとも１つのフィードバックバンドル形式は、起動された下りリンクコンポーネントキャリアについてのＡＣＫ／ＮＡＣＫを、単一のＡＣＫ／ＮＡＣＫの中にバンドルするための形式を備える、と、
を具備する。そのような方法は、また、起動された下りリンクコンポーネントキャリアのサブセット上で通信をスケジュールすることを含み、ここで、少なくとも１つのフィードバックバンドル形式は、スケジュールされた下りリンクコンポーネントキャリアのためのＡＣＫ／ＮＡＣＫを単一のＡＣＫ／ＮＡＣＫの中にバンドルするための形式を備える。方法は、さらに、移動体デバイスに、スケジュールされた下りリンクコンポーネントキャリアを通知することを含む。
【００１３】
他の例では、方法は、さらに、
コンポーネントキャリアの周波数帯域にもとづいて、下りリンクコンポーネントキャリアの第１のサブセットを特定することと、
下りリンクコンポーネントキャリアの第１のサブセットのためのＡＣＫ／ＮＡＣＫを、単一のＡＣＫ／ＮＡＣＫの中にバンドルすることと、
を備える。
【００１４】
他の例において、ワイヤレス通信装置は、
移動体デバイスが少なくとも１つの上りリンク上で電力を制限されていることを決定するための手段と、
移動体デバイスが電力を制限されているとの決定にもとづいて２つまたはそれより多くの下りリンクコンポーネントキャリア上で下りリンク通信モードを特定するための手段と、
２つまたはそれより多くの下りリンクコンポーネントキャリア上の下りリンク送信の受信を確認するために、少なくとも１つの上りリンクキャリア上での少なくとも１つフィードバックバンドル形式を特定するための手段と、
を備える。
【００１５】
少なくとも１つのフィードバックバンドル形式は、例えば、２つまたはそれより多くの下りリンクコンポーネントキャリアの各々のためのＡＣＫ／ＮＡＣＫを、単一のＡＣＫ／ＮＡＣＫの中にバンドルするための形式と、
単一の下りリンクコンポーネントキャリアの中の複数の符号ワードに対応するＡＣＫ／ＮＡＣＫを、単一のＡＣＫ／ＮＡＣＫの中にバンドルするための形式と、
２つまたはそれより多くの下りリンクコンポーネントキャリアにわたってＡＣＫ／ＮＡＣＫをバンドルし、少なくとも１つの他の下りリンクコンポーネントキャリアのための２つの符号ワードからのＡＣＫ／ＮＡＣＫを、単一のＡＣＫ／ＮＡＣＫの中にバンドルするための形式と、
を備える。１つの例では、少なくとも１つのフィードバックバンドル形式は、
２つまたはそれより多くのコンポーネントキャリアにわたってＡＣＫ／ＮＡＣＫをバンドルすることを備える第１の副形式と、
ＡＣＫ／ＮＡＣＫの反復を行うことを備える第２の副形式、ここで、第２の副形式は、第１の副形式と関連して利用される、と、
を具備する。
【００１６】
ワイヤレス通信装置は、さらに、例えば、
移動体デバイスと通信するために複数の下りリンクコンポーネントキャリアを構成するための手段と、
構成された下りリンクコンポーネントキャリアのサブセット上で通信をスケジュールするための手段、ここで、少なくとも１つのフィードバックバンドル形式は、スケジュールされた下りリンクコンポーネントキャリアのためのＡＣＫ／ＮＡＣＫを、単一のＡＣＫ／ＮＡＣＫの中にバンドルするための形式を備える、と、
を具備する。他の例では、装置は、さらに、
移動体通信との通信のために複数の下りリンクコンポーネントキャリアを構成するための手段と、
構成された下りリンクコンポーネントキャリアのサブセットを起動するための手段、ここで、少なくとも１つのフィードバックバンドル形式は、起動された下りリンクコンポーネントキャリアからのＡＣＫ／ＮＡＣＫを、単一のＡＣＫ／ＮＡＣＫの中にバンドルするための形式を備える、と、
を具備する。他の例では、装置は、さらに、起動された下りリンクコンポーネントキャリアのサブセット上で通信をスケジュールするための手段、ここで、少なくとも１つのフィードバックバンドル形式は、スケジュールされた下りリンクコンポーネントキャリアのためのＡＣＫ／ＮＡＣＫを、単一のＡＣＫ／ＮＡＣＫの中にバンドルするための形式を備える、を具備する。
【００１７】
他の例では、ワイヤレス通信装置は、
移動体デバイスが少なくとも１つの上りリンクキャリア上で電力を制限されていることを決定するために構成される電力ヘッドルーム決定モジュールと、
電力ヘッドルーム決定モジュールとの通信にあり、移動体デバイスが電力を制限されているとの決定にもとづいて、２つまたはそれより多くの下りリンクコンポーネントキャリア上での下りリンク送信モードを特定するよう構成される、下りリンクモード特定モジュールと、
下りリンクモード通信モジュールとの通信にあり、２つまたはそれより多くの下りリンクコンポーネントキャリア上での下りリンク送信の受信を確認するための、少なくとも１つの上りリンクキャリア上での少なくとも１つのフィードバックバンドル形式を特定するよう構成される、フィードバックバンドル形式モジュールと、
を具備する。
【００１８】
少なくとも１つのフィードバックバンドル形式は、例えば、
２つまたはそれより多くの下りリンクコンポーネントキャリアにわたるＡＣＫ／ＮＡＣＫを、単一のＡＣＫ／ＮＡＣＫの中にバンドルするための形式と、
単一の下りリンクコンポーネントキャリアの中の複数の符号ワードに対応するＡＣＫ／ＮＡＣＫを、単一のＡＣＫ／ＮＡＣＫの中にバンドルするための形式と、
２つまたはそれより多くの下りリンクコンポーネントキャリアにわたるＡＣＫ／ＮＡＣＫをバンドルし、さらに、少なくとも１つの他の下りリンクコンポーネントキャリアのための２つの符号ワードからのＡＣＫ／ＮＡＣＫを、単一のＡＣＫ／ＮＡＣＫの中にバンドルするための形式と、
のうちの１つまたはそれ良い多くを備える。１つの例では、少なくとも１つのフィードバックバンドル形式は、
２つまたはそれより多くの下りリンクコンポーネントキャリアにわたるＡＣＫ／ＮＡＣＫをバンドルすることを備える第１の副形式と、ＡＣＫ／ＮＡＣＫの反復を行うことを備える第２の副形式、ここで、第２の副形式は、第１の副形式と関連して利用される、と、
を具備する。
【００１９】
１つの例では、下りリンクモード特定モジュールは、さらに、
移動体デバイスと通信するために複数の下りリンクコンポーネントキャリアを構成することと、
構成された下りリンクコンポーネントキャリアのサブセット上で通信をスケジュールすること、ここで、少なくとも１つのフィードバックバンドル形式は、スケジュールされた下りリンクコンポーネントキャリアのためのＡＣＫ／ＮＡＣＫを、単一のＡＣＫ／ＮＡＣＫの中にバンドルするための形式を備える、と、
のために構成される。１つの例において、装置は、プロセッサを備える。
【００２０】
他の１つの例では、ワイヤレス通信のためのコンピュータプログラム製品は、
移動体デバイスが、少なくとも１つの上りリンクキャリア上で電力を制限されていることを決定するためのコードと、
移動体デバイスが電力を制限されているとの決定にもとづいて、２つまたはそれより多くの下りリンクコンポーネントキャリア上で下りリンク送信モードを特定するためのコードと、
２つまたはそれより多くの下りリンクコンポーネントキャリア上の下りリンク送信の受信を確認するために、少なくとも１つの上りリンクキャリア上の少なくとも１つのフィードバックバンドル形式を特定するためにコードと、
を備えるコンピュータ可読媒体を、具備する。
【００２１】
少なくとも１つのフィードバックバンドル形式は、例えば、
２つまたはそれより多くの下りリンクコンポーネントキャリアにわたるＡＣＫ／ＮＡＣＫを、単一のＡＣＫ／ＮＡＣＫの中にバンドルするための形式と、
単一の下りリンクコンポーネントキャリアの中の複数の符号ワードからのＡＣＫ／ＮＡＣＫを、単一のＡＣＫ／ＮＡＣＫの中にバンドルするための形式と、
２つまたはそれより多くの下りリンクコンポーネントキャリアのためのＡＣＫ／ＮＡＣＫをバンドルし、少なくとも１つの他の下りリンクコンポーネントキャリアのための２つの符号ワードからのＡＣＫ／ＮＡＣＫを、単一のＡＣＫ／ＮＡＣＫの中にバンドルするための形式と、
のうちの１つまたはそれより多くを備える。他の例では、少なくとも１つのフィードバックバンドル形式は、
２つまたはそれより多くの下りリンクコンポーネントキャリアのためのＡＣＫ／ＮＡＣＫをバンドルすることを備える第１のサブ形式と、
ＡＣＫ／ＮＡＣＫの反復を行うことを備える第２のサブ形式と、を備え、
ここで、第２のサブ形式は、第１のサブ形式に関連して利用される。
【００２２】
コンピュータプログラム製品は、また、
移動体デバイスと通信するための複数の下りリンクコンポーネントキャリアを構成するためのコードと、
構成された下りリンクコンポーネントキャリアのサブセット上の通信をスケジュールするためのコード、ここで、少なくとも１つのフィードバックバンドル形式は、スケジュールされた下りリンクコンポーネントキャリアのためのＡＣＫ／ＮＡＣＫを、単一のＡＣＫ／ＮＡＣＫの中にバンドルするための形式を備える、と、
を具備してよい。
【００２３】
さらに他の例では、例えば、ワイヤレス通信装置は、
基地局からの複数のコンポーネントキャリア上の複数の下りリンク送信を受信するように構成される受信機と、
受信された下りリンク送信に関連したモードを特定するように構成される下りリンクモード特定モジュールと、
下りリンク送信の受信を確認するためのフィードバックバンドル形式を特定するように構成されるフィードバック形式特定モジュール、フィードバックバンドル形式は、電力を制限された移動体デバイスのための下りリンクモードに少なくとももとづく、と、
特定されたフィードバックバンドル形式にしたがって、下りリンクコンポーネントキャリア上で下りリンク送信の受信を確認するフィードバックをバンドルするように構成されるフィードバック生成モジュールと、
基地局に、上りリンクキャリア上でバンドルされたフィードバックを送信するように構成される送信機と、
を備える。
【００２４】
少なくとも１つのフィードバックバンドル形式は、例えば、
２つまたはそれより多くの下りリンクコンポーネントキャリアのためのＡＣＫ／ＮＡＣＫを、単一のＡＣＫ／ＮＡＣＫの中にバンドルするための形式と、
単一の下りリンクコンポーネントキャリアの中の複数の符号ワードからのＡＣＫ／ＮＡＣＫを、単一のＡＣＫ／ＮＡＣＫの中にバンドルするための形式と、
２つまたはそれより多くの下りリンクコンポーネントキャリアのためのＡＣＫ／ＮＡＣＫをバンドルし、少なくとも１つの他の下りリンクコンポーネントキャリアのための２つの符号ワードからのＡＣＫ／ＮＡＣＫを、単一のＡＣＫ／ＮＡＣＫの中にバンドルするための形式と、
のうちの１つまたはそれより多くを備えてよい。他の例では、少なくとも１つのフィードバックバンドル形式は、
２つまたはそれより多くの下りリンクコンポーネントキャリアのためのＡＣＫ／ＮＡＣＫをバンドルすることを備える第１の副形式と、
ＡＣＫ／ＮＡＣＫの反復を行うことを備える第２の副形式、ここで、第２の副形式は、第１の副形式と関連して利用される、と、
を具備する。
【００２５】
他の例では、電力を制限された移動体デバイスからのワイヤレス通信の方法であって、
基地局から、複数の下りリンクコンポーネントキャリア上で下りリンク送信を受信することと、
受信された下りリンク通信と関連したモードを特定することと、
下りリンク送信の受信を確認するために少なくとも１つの上りリンクキャリア上の少なくとも１つのフィードバックバンドル形式を特定すること、フィードバックバンドル形式は、電力を制限された移動体デバイスのためのモードに関連する、と、
フィードバックバンドル形式にしたがって、下りリンクコンポーネントキャリア上の下りリンク送信の受信を確認するフィードバックをバンドルすることと、
少なくとも１つの上りリンクキャリア上で、基地局に、バンドルされたフィードバックを送信することと、
を備える。方法は、さらに、少なくとも１つ上りリンクキャリア上で、基地局に、送信電力情報を与えることを備えてもよい。
【００２６】
少なくとも１つのフィードバックバンドル形式は、たとえば、
コンポーネントキャリアの各々のための肯定応答／否定応答（ＡＣＫ／ＮＡＣＫ）を単一のＡＣＫ／ＮＡＣＫの中にバンドルするための形式と、
単一のコンポーネントキャリアの中の複数の符号ワードからの肯定応答／否定応答（ＡＣＫ／ＮＡＣＫ）を、単一のＡＣＫ／ＮＡＣＫの中にバンドルするための形式と、
のうちの１つまたはそれより多くを備えてもよい。他の例では、少なくとも１つのフィードバックバンドル形式は、
２つまたはそれより多くの下りリンクコンポーネントキャリアのための肯定応答／否定応答（ＡＣＫ／ＮＡＣＫ）をバンドルすることを備える第１の副形式と、
ＡＣＫ／ＮＡＣＫの反復を行うことを備える第２の副形式、ここで、第２の副形式は、第１の副形式に関連して利用される、と、
を具備する。
【００２７】
以上は、開示に従った例の特徴や技術的態様を、むしろ広く概観している。追加の特徴や利得が以降に記載される。開示される概念や特定の例は、本開示の同じ目的を実施するための他と構造を改変すること、または設計することのための基礎として容易に利用され得る。そのような均等の構造は、添付の請求項の精神や範囲から逸脱しない。それらの構成や動作の方法の両方について、この中に開示される概念の特徴点であると考えられる「特徴」は、関連する利得とともに、添以下の記載から、添付の図面と併せて考慮されるとき、より良く理解される。各図は、例示や説明の目的でのみ与えられ、請求項の限定範囲を特定するものではない。
【００２８】
本発明の本質や利得のさらなる理解が、以下の図面を参照することにより認識され得る。添付の図面において、類似のコンポーネント（構成要素）または特徴は、同じ参照符号をもち得る。さらに、同じ形態の種々のコンポーネントは、参照符号にダッシュをつけることによって、類似のコンポーネントの間で異なる第２の符号によって、区別され得る。第１の参照符号が明細書の中で用いられる場合、その記述は、第２の参照符号に関係なく、同じ第１の参照符号をもつ類似のコンポーネントの任意のものに適用可能である。
【図面の簡単な説明】
【００２９】
【図１】図１は、ワイヤレス通信システムを示す。
【図２】図２は、複数のコンポーネントキャリア（ＣＣ）上で通信し、複数のＣＣのためのフィードバックをバンドルするためのワイヤレス通信システムのブロック図である。
【図３】図３は、ワイヤレス通信システムにおける送信機と受信機のブロック図である。
【図４Ａ】図４Ａは、複数のＣＣのためのフィードバックの値をバンドルすることを容易にする、フィードバックバンドル形式モジュールのブロック図である。
【図４Ｂ】図４Ｂは、複数のＣＣのためのフィードバックの値をバンドルすることを容易にする、基地局のブロック図である。
【図５】図５は、複数のＣＣのためのフィードバックの値をバンドルすることを容易にする、移動体デバイスのブロック図である。
【図６】図６は、複数のＣＣのためのフィードバックをバンドルするための方法のフローチャートである。
【図７】図７は、複数のＣＣのためのフィードバックをバンドルするための他の方法のフローチャートである。
【図８】図８は、複数の起動されたＣＣのためのフィードバックをバンドルするための方法のフローチャートである。
【図９】図９は、複数のスケジュールされたＣＣのためのフィードバックをバンドルするための方法のフローチャートである。
【図１０】図１０は、複数のＣＣのために、バンドルし、バンドルされたフィードバックを送信するための方法のフローチャートである。
【詳細な説明】
【００３０】
システム、方法、デバイス、およびコンピュータプログラム製品が、複数のコンポーネントキャリア（component carrier (CC)）上での下りリンク送信に関連するフィードバックをバンドルする（束ねる）ことについて記載される。いくつかの例では、基地局は、基地局が移動体デバイスを電力が制限されていると決定するときに、上りリンクＣＣ上で送信されようとするフィードバックデータの量を減らすために、異なるフィードバックバンドル形式を用いるように複数キャリアの移動体デバイスを構成する。移動体デバイスのために選択されたバンドル形式は、下りリンクＣＣの１つまたはそれより多くのモードに、部分的にもとづき得る。バンドル形式は、バンドル技術の組合せとこれらの技術が適用される順序を含み得る。特に、バンドル技術は、ＡＣＫ／ＮＡＣＫフィードバックが、空間バンドルおよび／またはフィードバック反復との組み合わせで、コンポーネントキャリアにわたってバンドルされるようなＣＣバンドルを含み得る。効率性と性能のために、バンドル形式は、フィードバック反復の使用に頼る前に、ＣＣバンドルを適用し得る。
【００３１】
基地局は、単一の符号ワード送信モードを選択することにより、バンドルのある形式（例えば、ＣＣバンドル）を容易にし得る。他の態様は、ＣＣのサブセットが同じ周波数帯域においてＣＣを含む場合にサブセット毎を基本にＣＣバンドルを構成することと、スケジュールされた（単に構成された、または、構成され−起動された、とは対照的なものとして）ＣＣのためのフィードバックにバンドル動作を制限することと、を含む。フィードバックのバンドルは、チャネル品質情報およびチャネル状態情報（Channel-Quality-Information and Channel-State- Information (CQI/CSI)）などの移動体デバイスからの１つまたはそれより多くの他の送信をキャンセルすることと組み合され得る。バンドル形式は、２つまたはそれより多くの下りリンクＣＣにわたる肯定応答／否定応答（ＡＣＫ／ＮＡＣＫ）をバンドルすることと、単一の下りリンクＣＣの中の複数の符号ワードからのＡＣＫ／ＮＡＣＫをバンドルすることと、および／または、時分割多重（time division duplex (TDD)）のＣＣにおける２つまたはそれより多くのサブフレームのためのＡＣＫ／ＮＡＣＫを、単一のＡＣＫ／ＮＡＣＫの中にバンドルすることと、を含んでもよい。
【００３２】
以下の記載は、例を提示するものであり。請求項に記載された範囲、適用性、または構成を限定するものではない。変更は、開示の精神や範囲から逸脱することなく、検討された要素の機能や配置においてなされ得る。種々の実施形態は、適当であれば、様々な手続きやコンポーネントを削ったり、代えたり、または追加し得る。例えば、記載された方法は、記載されたものとは異なる順序で実行されてよく、様々なステップが、追加され、削られ、または組み合され得る。また、ある実施形態に関して記載された特徴は、他の実施形態において組み合されることができる。
【００３３】
最初に図１を参照して、ブロック図は、ワイヤレス通信システム１００の例を示す。システム１００は、基地局１０５と移動体デバイス１１０を含む。もちろん、このようなシステムは、一般的に、幾つかの基地局１０５と移動体デバイス１１０を含むが、単一の基地局１０５と移動体デバイス１１０が、このシステムの検討を単純化する目的で、図１に示される。基地局１０５は、マクロセル、フェムトセル、ピコセル、および／または、類似の基地局、移動体基地局、または、中継ノード、等、であってよい。システム１００は、各々が異なる周波数の波形信号を含む、複数のコンポーネントキャリア（component carrier (CC)）上の動作をサポートする。図１において、上りリンクＣＣ１１５は、移動体デバイス１１０から基地局１０５への上りリンク送信をはこぶ。いくつかの場合では、複数の上りリンクＣＣが、移動体デバイス１１０から基地局１０５への上りリンク送信をはこぶ。複数の下りリンクＣＣ１２０は、基地局１０５から移動体デバイス１１０への下りリンク送信をはこび、下りリンクＣＣ１２０上の下りリンク送信の受信の肯定応答がバンドルされ、上りリンクＣＣ（または、複数の上りリンクＣＣ）上で基地局１０５に送信される。変調された信号の各々は、異なるキャリア上で送られることができ、制御情報（例えば、パイロット信号）、オーバヘッド情報、データ、等をはこび得る。システム１００は、ネットワークリソースを効率的に分配することができる、マルチ（複数）キャリアＬＴＥネットワークであってよい。
【００３４】
基地局１０５は、１つまたはそれより多くの基地局アンテナを介して、移動体デバイス１１０とワイヤレスで通信し得る。基地局１０５は、複数の下りリンクおよび／または上りリンクＣＣを介して、基地局コントローラの制御のもとで、移動体デバイス１１０と通信するよう構成される。基地局１０５は、ノードＢ（ＮＢ）、または進化型ノードＢ（ｅＮＢ）であってよい。基地局１０５は、異なる地理的領域のためのカバレッジを提供する他の基地局１０５とともに、特定の地理的領域のための通信カバレッジを提供し得る。複数の移動体デバイス１１０は、カバレッジ領域を通して分散配置され得る。移動体デバイス１１０は、移動局、移動デバイス、アクセス端末（ＡＴ）、ユーザ機器（ＵＥ）、または加入者ユニットであってよい。そのような移動体デバイス１１０は、セルラ電話やワイヤレス通信デバイスを含み得るが、パーソナルデジタルアシスタント（ＰＤＡ）、スマートフォン、他のハンドヘルドデバイス、ネットブック、ノートブックコンピュータ、タブレットコンピュータ、等を含んでもよい。
【００３５】
検討のために、移動体デバイス１１０が、基地局１０５上で動作している（「キャンプオン」されている）と想定する。移動体デバイス１１０が地理的領域にわたって移動すると、上りリンクおよび下りリンクＣＣのチャネル状態は変化し得る。例えば、地理的カバレッジ領域の縁において、上りリンクＣＣについてのチャネル状態は、移動体デバイス１１０が上りリンク送信のために与えられ得る電力量の限度に近づいていく結果となり得る。もちろん、そのような状態は、基地局１０５のサービス領域の中の他の場所でも起こり得る。上りリンク送信のために与えられ得る電力量の限度において、またはその近くで動作している移動体デバイス１０５は、「電力を制限された移動体デバイス」と呼ばれる。種々の例では、この中により詳細に記載されるように、基地局１０５は、移動体デバイス１１０が電力を制限されていると決定したときに、上りリンクＣＣ１１５上で送信されるフィードバックデータの量を減らすために、異なるフィードバックバンドル形式を用いるように、移動体デバイス１１０を構成し得る。
【００３６】
いくつかの例では、基地局１０５は、電力を制限された移動体デバイスから、上りリンクＣＣ１１５上で送信されるフィードバックデータの量を減らすために、異なるフィードバックバンドル形式を用いるよう、複数キャリア（multi-carrier）移動体デバイス１１０を構成する。選択されたバンドル形式は、下りリンクＣＣ１２０の数にもとづき得る。上りリンクＣＣ１１５上で使われるバンドル形式は、バンドル技術の組み合わせと、これらの技術が適用される順序を含み得る。特に、バンドル技術は、空間バンドルおよび／またはＨＡＲＱ−ＡＣＫ反復のようなフィードバック反復との組み合わせで、ＣＣバンドルを含み得る。
【００３７】
基地局１０５は、移動体デバイス１１０のための単一の符号ワード送信モードを選択することにより、上りリンクＣＣ１１５上で、ある形式のバンドル（例えば、ＣＣバンドル）を容易にする。他の態様は、サブセットあたりを基本としたＣＣバンドルを構成すること、ここで、ＣＣのサブセットは同じ周波数帯域におけるＣＣを含む、と、スケジュールされた（単に構成されている、または、構成されて起動されている（configuring-and-activating）とは対照的に）ＣＣのためのフィードバックにバンドル動作を制限することとを含んでよい。フィードバックのバンドルは、チャネル品質情報およびチャネル状態情報（ＣＱＩ／ＣＳＩ）などの１つまたはそれより多くの他の送信を落とす、またはキャンセルするように移動体デバイス１１０を構成することと組み合されてもよい。バンドル形式は、２つまたはそれより多くの下りリンクＣＣにわたって肯定応答／否定応答（ＡＣＫ／ＮＡＣＫ）をバンドルすること、単一の下りリンクＣＣの中の複数の符号ワードからのＡＣＫ／ＮＡＣＫをバンドルすること、および／または、時分割多重（ＴＤＤ）ＣＣにおける２つまたはそれより多くのサブフレームについてのＡＣＫ／ＮＡＣＫを、単一のＡＣＫ／ＮＡＣＫにバンドルすること、を含むことができる。
【００３８】
ここで、図２を参照して、複数のＣＣ上で通信を行ない、複数のＣＣのためのフィードバックをバンドルするためのワイヤレス通信システム２００のブロック図が記載される。システム２００は、ワイヤレスネットワーク（図示せず）をアクセスするために、基地局１０５−ａと通信する移動体デバイス１１０−ａを含む。移動体デバイス１１０−ａは、図１の移動体デバイス１１０であってよく、基地局１０５−ａは、図１の基地局１０５であってよい。移動体デバイス１１０−ａと基地局１０５−ａは、複数のＣＣ２０５ないし２２５上で通信をする。図示のように、移動体デバイス１１０−ａは、上りリンクＣＣ２０５および２１０上で、基地局１０５−ａと通信し得る。基地局１０５−ａとのそのような通信は、下りリンク送信の受信を確認するために、ＡＣＫ／ＮＡＣＫフィードバックを含む、ＨＡＲＱフィードバックを含み得る。この中に記載される様々な例において、移動体デバイス１１０−ａは、ＡＣＫ／ＮＡＣＫフィードバックをバンドルし、それにより、上りリンクＣＣ２０５および２１０上のフィードバックオーバヘッドを減らし得る。もちろん、より少ない上りリンクＣＣの内のより多くが、特定のシステムや動作状態に依存して存在し得る。同様に、基地局１０５−ａ下りリンクＣＣ２１５ないし２２５上で移動体デバイス１１０−ａと通信し得る。複数の上りリンク（ＵＬ）および下りリンク（ＤＬ）ＣＣ２０５−２２５は、送信ダイバーシチ、増加されたスループット、および／または、そのようなものを提供する。加えて、基地局１０５−ａは、実質的に任意の数のＤＬまたはＵＬのＣＣ上で、移動体デバイス１１０−ａと通信することができる。
【００３９】
移動体デバイス１１０−ａは、複数のＤＬ  ＣＣ２１５ないし２２５上で受信された通信のためのフィードバックを生成し得、基地局１０５−ａにフィードバックを送信することができる。移動体デバイス１１０−ａが２つまたはそれより多くの上りリンクおよび／または下りリンクＣＣを用いて動作する場合に、ＣＣの１つが主（プライマリ）ＣＣ（ＰＣＣ）として構成される。複数の下りリンクＣＣのためのフィードバックの送信は、１つの上りリンクＣＣ、すなわち、上りリンクＰＣＣを介して遂行され得る。図２の例において、上りリンクＰＣＣは、ＤＬ  ＣＣ２１５ないし２２５のためのフィードバックを運ぶ、ＵＬ  ＣＣ−１  ２０５である。そのようなフィードバックは、例えば、通信が所与のＤＬ  ＣＣ上で受信され、処理されるかどうかに関連付けられるＡＣＫまたはＮＡＣＫを特定するＨＡＲＱフィードバックに関係し得る。移動体デバイス１１０−ａは、ＤＬ  ＣＣ２１５ないし２２５のために、ＵＬ  ＣＣ−１  ２０５上で基地局１０５−ａにフィードバックを送信することができ、基地局１０５−ａは、関連付けられるフィードバックにおいてそのためにＮＡＣＫが受信される任意のＤＬ  ＣＣ２１５−２２５上で、通信を再送できる。１つの例では、移動体デバイス１１０−ａは、ＵＬ  ＣＣ−１  ２０５上でフィードバックを送信するために必要とされる帯域幅を保存するために複数の下りリンクＣＣ２１５ないし２２５のためのフィードバックをバンドルすることができる。これに関して、基地局１０５−ａは、一例では、ＮＡＣＫが受信される場合、バンドルされたフィードバックに関連付けられた、実質的にすべてのＤＬ  ＣＣ２１５ないし２２５上で、特定の下りリンク送信を再送信できる。
【００４０】
複数の下りリンクＣＣ（例えば、ＣＣ２１５ないし２２５）のためのフィードバックを与えるときに、ＰＣＣ（ＣＣ−１  ２０５など）上のＡＣＫ  ＮＡＣＫフィードバックのオーバヘッドが著しいから、フィードバックをバンドルすることは有益である。例えば、５つのＤＬ  ＣＣにおいて、フィードバックペイロードは、種々の例において、ＵＬ  ＣＣ−１  ２０５上で基地局１０５−ａに送信されるであろう、１０ビットまでであってよい。不連続の送信（discontinuous transmission (DTX)）がサポートされる場合、ペイロードサイズは、いくつかの場合に、１２ビットに、更に増加され得る。この中での例は、１つまたはより多くのフィードバックバンドル形式の使用を通して、フィードバックオーバヘッドの削減をまかなう。そのようなフィードバックバンドル形式は、空間バンドル、ＣＣバンドル、およびサブフレームバンドルを含む。
【００４１】
空間的にバンドルすることは、同じ物理下りリンク制御チャネル（ＰＤＣＣＨ）における２つの符号ワードのためのＡＣＫ／ＮＡＣＫを単一のＡＣＫ／ＮＡＣＫの中にバンドルすることを含む。バンドルは、例えば、符号ワードの各々からのＡＣＫ／ＮＡＣＫビットの倫理積（ＡＮＤ）を介して達成され得る。そのような空間バンドルは、移動体デバイス１１０−ａと基地局１０５−ａとの間の通信のための送信モードに応じて実装され得る。空間バンドルは、例えば、ＭＯモードで構成されたＣＣを有する送信モードにおいて使用され得る。そのような方法で２つの符号ワードのためのＡＣＫ／ＮＡＣＫをバンドルすることは、従来２ビットフィードバックであったものを、１ビットフィードバックに減らす。他のフィードバックバンドル形式は、コンポーネントキャリア（ＣＣ）のバンドルを含み得、ここでは、２つまたはそれより多くのＣＣのためのＡＣＫ／ＮＡＣＫが、単一のＡＣＫ／ＮＡＣＫの中に、論理的にバンドルされることができる。これは、複数キャリアのＡＣＫ／ＮＡＣＫフィードバックを単一キャリアのケースに退化する（degenerate）ことができる。第３のフィードバックバンドル形式は、サブフレームバンドルを含み得る。時分割多重（ＴＤＤ）動作モードに適用する、このサブフレームバンドルフィードバック形式において、２つまたはそれより多くのサブフレームのためのＡＣＫ／ＮＡＣＫが論理的にバンドルされることができる。これは、ＴＤＤにおける非対称ＡＣＫ／ＮＡＣＫフィードバック（１つのＵＬサブフレームにマップされた複数ＤＬサブフレーム）を、周波数分割多重（ＦＤＤ）の動作モードにおける対象ＡＣＫ／ＮＡＣＫフィードバック（１対１ＤＬ／ＵＬマッピング）に退化する。これらのフィードバック形式の２つまたはそれより多くが適用可能である状況において、異なるフィードバック形式の組み合わせが利用され得る。
【００４２】
したがって、これらのバンドル形式の１つまたはそれより多くを利用して、上りリンクＰＣＣに係るフィードバックオーバヘッドが減らされ得る。移動体デバイス１１０−ａが上りリンクＣＣ上で電力を制限されている状況において、複数キャリア構成において、信頼性をもってより多くのフィードバック情報を送信することは、そのような状況において比較的に劣化したチャネル品質の故に、要求を提示することができる。さらに、上りリンクと下りリンクのチャネル状態が不均衡であり得ることが、一般的に起こり得る。特に、移動体デバイス１１０−ａは、比較的に好ましい下りリンクチャネル状態に遭遇し得る一方で、それは、好ましくない上りリンクチャネル状態を経験し得る。そのようなシナリオは、移動体デバイス１１０−ａが２つまたはそれより多くのＤＬ  ＣＣで構成される場合、効率的な下りリンクＨＡＲＱ動作に、同様に消極的なインパクトを与え得る。そのような場合では、移動体デバイス１１０−ａから基地局１０５−ａへのＨＡＲＱ  ＡＣＫ／ＮＡＣＫフィードバックの送信は、フィードバックが基地局１０５−ａで成功裏に受信される前に、１またはそれより多くの回数、反復される必要がある。これは、移動体デバイス１１０−ａへの引き続く下りリンク送信を遅延させ、したがって、データ送信レートに消極的なインパクトを与え得る。フィードバックオーバヘッドを減らすことは、送信されることが必要とされるデータの量を減らし、また、移動体デバイス１１０−ａから基地局１０５−ａへの成功する送信の可能性を増加させることができる。したがって、この中に記載された例において説明されるようなフィードバックバンドルは、そのような状況において、通信の効率を高め得る。
【００４３】
表１は、２つのＤＬ  ＣＣと５つのＤＬ  ＣＣの場合についての、ＦＤＤのためのＡＣＫ／ＮＡＣＫのＣＣバンドルと空間バンドルの比較を与える。ＣＣバンドルは、本質的に、構成されるＣＣの数とは独立のペイロードに帰結する一方で、空間バンドルは、一般的に、１ビット（２つのＣＣについて）から５ビット（５つのＣＣについて）の範囲のオーバヘッドをもって、ＡＣＫ／ＮＡＣＫオーバヘッドを半分だけ下げる。２つのＣＣについて、ＣＣバンドルと空間バンドルは、同じ、最大のＡＣＫ／ＮＡＣＫペイロードサイズを生成する。理解されるように、ワイヤレス通信の標準は、ＬＴＥ−Ａについての定められた送信モードのように、いくつかの異なる送信モードの１つにおける動作の規定を設ける。電力を制限された移動体デバイスの場合には、１つの可能な送信モードが、ＳＩＭＯ  ＤＬ送信モードを用いて構成された２つのＤＬ  ＣＣを有することになり、その場合には、表１に見られるように、ＣＣバンドルは、空間バンドル（実行的に空間バンドルなし）の場合について２ビットであることと対照的に、１ビットのフィードバックペイロードサイズを与えることになる。
【表１】
2013537778.tif 000003
【００４４】
いくつかの例では、ＦＤＤのためのＣＣバンドルと空間バンドルの連携が、フィードバックバンドルを通じてフィードバックペイロードの削減をサポートする送信モードを選ぶ基地局１０５−ａを介して可能とされる。例えば、基地局１０５−ａは、ＨＡＲＱフィードバックの目的のためのただ１つの符号ワードを用いる送信モードを選択し得る。他の例では、フィードバックバンドルが常に行われ得る。他の例では、選択された送信モード（すなわち、ＬＴＥ−Ａ送信モード３または４）は、実行されるバンドルをもったエラーケースとして扱われ得る。フィードバックバンドルは、さらに、フィードバック反復と組み合わせて用いられ得る。例として、移動体デバイス１１０−ａは、Ｎｒｅｐ＝２，４，または６のファクタをもつＡＣＫ／ＮＡＣＫ反復として構成され得る。ＡＣＫ／ＮＡＣＫ反復を用いる場合において、移動体デバイス１１０−ａは、サブフレームでＡＣＫ／ＮＡＣＫ情報を送信するだけであり、任意の他のコンカレントＵＬ信号は中断され得る。加えて、ＨＡＲＱプロトコルにしたがって、移動体デバイス１１０−ａは、ＡＣＫ／ＮＡＣＫ情報を周期的（即ち、Ｎｒｅｐごと）にのみ送信する。したがって、ＡＣＫ／ＮＡＣＫフィードバックが反復されている期間の中で引き続き連続する（back-to-back）任意のＤＬ送信は、潜在的に下りリンクデータ送信レートに影響し、任意のＡＣＫ／ＮＡＣＫフィードバックを受信しないことになる。いくつかの例では、そのようなＡＣＫ／ＮＡＣＫフィードバックの反復は、フィードバックが基地局１０５−ａによって正しく受信されない場合においてのみ用いられ得る。
【００４５】
いくつかの状況では、移動体デバイス１１０−ａは、Ｍｃｏｎｆｉｇｕｒｅｄ ＣＣと呼ばれる、ＣＣのある数上で動作するように構成され得る。移動体デバイス１１０−ａの使用と下りリンク送信の量に依存して、構成されたＣＣのサブセットだけが起動され得、Ｍａｃｔｉｖａｔｅｄ ＣＣと呼ばれる。さらに、いくつかの例では、任意の所与のサブフレームにおいて、移動体デバイス１１０−ａは、スケジュールされたＣＣを用いて送信される下りリンク送信でもって、Ｍｓｃｈｅｄｕｌｅｄ ＣＣと呼ばれる、起動されたＣＣのサブセット上でのみスケジュールされ得る。以下の状態が持続する。
【数１】
2013537778.tif 000004
【００４６】
構成されたＣＣの全てより少ないものが下りリンク送信のために使われようとする場合に、ＣＣバンドルは、下りリンク送信のために用いられるＣＣ、すなわち、ＭｓｃｈｅｄｕｌｅｄまたはＭａｃｔｉｖａｔｅｄ、上でのみ行われ得る。そのような場合には、ＣＣバンドルは、Ｍｃｏｎｆｉｇｕｒｅｄ ＣＣ（または、Ｍｓｃｈｅｄｕｌｅｄ＜Ｍａｃｔｉｖａｔｅｄのときには、Ｍａｃｔｉｖａｔｅｄ の起動されたＣＣ）にもとづいて行われるならば、フィードバックは効果を持たないことがあり得る。したがって、いくつかの例では、ＣＣバンドルは、構成されたＣＣ上でよりもむしろ、起動されたＣＣ上でのみ行われる。他の例では、ＣＣバンドルは、起動された、または構成されたＣＣ上でよりむしろ、スケジュールされたＣＣ上でのみ行われる。サブフレームについてのＭｓｃｈｅｄｕｌｅｄ ＣＣの決定は、例えば、移動体デバイス１１０−ａにビットマップフォーマットで送信され得る下りリンク割り当てインデックス（downlink assignment index (DAI)）にしたがってなされ得る。
【００４７】
電力を制限された移動体デバイス１１０−ａについて、ＣＣバンドルとＡＣＫ／ＮＡＣＫ反復を比較すると、ＣＣバンドルは、一般に、それが、異なるＤＬサブフレームについての連続する（back-to-back）ＡＣＫ／ＮＡＣＫフィードバックの可能性を与える場合に、より効果的である。いくつかの場合には、ＣＣバンドルが移動体デバイス１１０−ａのために構成されるときに、チャネル品質情報およびチャネル状態情報（ＣＱＩ／ＣＳＩ）チャネルフィードバックをキャンセルすることにより、フィードバックペイロードは、さらに、削減され得る。他の場合には、ＣＱＩ／ＣＳＩチャネルフィードバックなどのＵＬ信号は、フィードバックを送信するかどうかをトリガするある閾値の上または下のチャネル状態でもって、実際のチャネル状態に依存して送信され得る。いくつかの例では、優先順位づけが適用され、そこで、電力を制限された移動体デバイス１１０−ａのためのＡＣＫ／ＮＡＣＫ反復の前に、まず、ＣＣバンドルが適用される。すなわち、ＡＣＫ／ＮＡＣＫバンドルが構成されない場合、ＡＣＫ／ＮＡＣＫ反復は、複数キャリア動作において、電力を制限された移動体デバイス１１０−ａのために、別々には構成されない。
【００４８】
また、さらなる場合では、移動体デバイス１１０−ａは、構成された、起動された、またはスケジュールされたＣＣの１つまたはそれより多くのサブセット上でのＣＣバンドルをサポートするように構成されてもよい。そのような場合には、例えば、構成されたＣＣは、各々が１つまたはそれより多くのＣＣを含む、数個のサブセットに組織されることができる。そして、ＣＣバンドルは、サブセット毎をベースに行われ、移動体デバイス１１０−ａは、複数のサブセットに対して、同時にＡＣＫ／ＮＡＣＫフィードバックを与え得る。サブセットの組織化は、ＣＣの周波数帯域など、いくつかの異なる基準の１つにもとづき得る。サブセットは、直交または重なり合うことができる（例えば、１つまたはそれより多くのサブセットが１つまたはそれより多くの同じＣＣを含む）。これについて、移動体デバイス１１０−ａは、上りリンクＣＣ−ａ２０５上で、基地局１０５−ａに、各サブセットについてのバンドルされたフィードバックを送信することができる。
【００４９】
図３は、基地局１０５−ｂと移動体デバイス１１０−ｂを含むシステム３００のブロック図である。このシステム３００は、図１のシステム１００、または図２のシステム２００であってよい。基地局１０５−ｂは、アンテナ３３４−ａないし３３４―ｘを装備され、移動体デバイス１１０−ｂは、アンテナ３５２−ａないし３５２−ｎを装備され得る。基地局１０５―ｂにおいて、送信プロセッサ３２０は、データソースからデータを、プロセッサ３４０、メモリ３４２、および／またはＡＣＫ／ＮＡＣＫバンドル形式モジュール３４４からフィードバック情報を受け取り得る。フィードバック情報は、移動体デバイス１１０−ｂがそのもとで動作している、特定されたフィードバックバンドル形式にしたがって、バンドルされたＡＣＫ／ＮＡＣＫフィードバックなどのフィードバックバンドル情報を含み得る。いくつかの例におけるＡＣＫ／ＮＡＣＫバンドル形式モジュール３４４は、異なるフィードバックバンドル形式を使用するように、移動体デバイス１１０―ｂを構成する。ＡＣＫ／ＮＡＣＫバンドル形式モジュール３４４は、下りリンクＣＣの１つまたはそれより多くの送信モードと移動体デバイス１１０−ｂが電力を制限されているとの決定とに部分的にもとづいて、バンドル形式を選択し得る。
【００５０】
送信プロセッサ３２０は、また、プロセッサ３４０、スケジューラ３４２、ＡＣＫ／ＮＡＣＫバンドル形式モジュール３４４、および／または、メモリ３４６から制御情報を受け取り得る。スケジューラ３４２は、プロセッサ３４０、および／またはＡＣＫ／ＮＡＣＫバンドル形式モジュール３４４の影響下で、構成されたキャリアのサブセット上で、移動体デバイスをスケジュールし得る。上りリンクフィードバックは、一意に定まり（deterministic）、基地局１０５−ｂによってスケジュールされない。制御情報は、下りリンクＣＣモードを特定し、上りリンクキャリア上のフィードバック送信をスケジュールし、特定の移動体デバイス１１０−ｂのために使われるようなバンドル形式を特定し得る。送信プロセッサ３２０は、データシンボルと制御シンボルのそれぞれを得るために、データ、フィードバック情報、および制御情報を処理（例えば、エンコードとシンボルマップ）し得る。送信プロセッサ３２０は、また、基準シンボルとセル固有基準信号を生成し得る。送信（ＴＸ）多重入力・多重出力（ＭＩＭＯ）プロセッサ３３０は、適用可能ならば、データシンボル、制御シンボル、および／または、基準シンボル上で、空間処理（例えば、プリコーディング）を行ない、送信変調器３３２−ａないし３３２―ｘに出力シンボルストリームを与え得る。各変調器３３２は、出力サンプルストリームを得るために、それぞれの出力シンボルストリームを処理し得る（例えば、ＯＦＤＭなどのため）。各変調器３３２は、さらに、下りリンク信号を得るために、出力サンプルストリームを処理（例えば、アナログ変換、増幅、フィルタ処理、およびアップコンバート）し得る。変調器３３２−ａないし３３２―ｘからの下りリンク信号は、それぞれ、アンテナ３３４−ａないし３３４―ｘを介して送信され得る。
【００５１】
移動体デバイス１１０−ｂにおいて、アンテナ３５２−ａないし３５２−ｎは、基地局１０５−ｂから下りリンク信号を受信し、復調器３５４−ａないし３５４−ｎのそれぞれに、受信された信号を与え得る。各復調器３５４は、入力サンプルを得るために、それぞれの受信された信号を調整（例えば、フィルタ処理、増幅、ダウンコンバート、およびデジタル化）し得る。各復調器３５４は、さらに、受信されたシンボルを得るために、入力サンプルを処理し得る（例えば、ＯＦＤＭなどのため）。ＭＩＭＯ検出器３５６は、復調器３５４−ａないし３３４―ｎのすべてから受信されたシンボルを得て、適用可能であれば、受信されたシンボル上でＭＩＭＯ検出を行ない、検出されたシンボルを与え得る。受信プロセッサ３５８は、移動体デバイス１１０−ｂのためのデコードされたデータをデータ出力に与えるよう、検出されたシンボルを処理（例えば、復調、逆インタリーブ、およびデコード）し、デコードされた制御情報を、プロセッサ３８０、メモリ３８２、またはＡＣＫ／ＮＡＣＫバンドルモジュール３８４に与え得る。ＡＣＫ／ＮＡＣＫバンドルモジュール３８４は、下りリンクキャリア、下りリンク送信モード、およびバンドル形式を特定するために処理を行い、上りリンクＣＣ上のＡＣＫ／ＮＡＣＫフィードバック送信にしたがって、移動体デバイス１１０−ｂによる下りリンク送信の受信を確認するために用いられる動作を行ない得る。ＡＣＫ／ＮＡＣＫバンドルモジュール３８４は、いくつかの例では、ＡＣＫ／ＮＡＣＫバンドル形式モジュール３４４によって特定されるバンドル形式にしたがって、ＡＣＫ  ＮＡＣＫフィードバックをバンドルする。
【００５２】
上りリンク上では、移動体デバイス１１０−ｂにおいて、送信プロセッサ３６４は、データソースからのデータ（例えば、ＨＡＲＱフィードバックにおける使用のための符号ワード）を、および、プロセッサ３８０とＡＣＫ／ＮＡＣＫバンドルモジュール３８４とからの制御情報（例えば、フィードバックバンドル形式）を、受信し、処理し得る。送信プロセッサ３６４は、また、基準信号のための基準シンボルを生成し得る。送信プロセッサ３６４からのシンボルは、適用可能な場合、ＴＸ ＭＩＭＯプロセッサ３６６によってプリコードされ、さらに、復調器３５４−ａないし３５４−ｎによって処理され得（例えば、ＳＣ−ＦＤＭＡなどのため）、基地局１０５―ｂに送信され得る。基地局１０５―ｂにおいて、移動体デバイス１１０−ｂからの上りリンク信号は、アンテナ３３４により受信され、復調器３３２により処理され、適用可能ならば、ＭＩＭＯ検出器３３６により検出され、さらに、移動体デバイス１１０−ｂによって送られた、デコードされたデータと制御情報を得るために、受信プロセッサ３３８により処理され得る。プロセッサ３３８は、デコードされたデータをデータ出力に、デコードされた制御情報をプロセッサ３４０および／またはＡＣＫ／ＮＡＣＫバンドル形式モジュール３４４に与え得る。
【００５３】
ここで、図４Ａに移って、単純化されたブロック図４００Ａがデバイス１０５―ｃを示す。デバイス１０５―ｃは、図１、２、または３の基地局１０５、またはそのような基地局の一部分であってよい。デバイス１０５―ｃは、受信機４０５、電力ヘッドルーム(空き分）決定モジュール４１０、下りリンクモード特定モジュール４１５、フィードバックバンドル形式モジュール４２０、および送信機４２５を含む。デバイス１０５―ｃ、または、それの個々のコンポーネントは、ハードウェアにおいて適用可能な機能のいくつか、またはすべてを行うために、１つまたはそれより多くの特定用途向け集積回路（ＡＳＩＣ）を用いて実装され得る。代替的に、機能は、１つまたはそれより多くの集積回路上で、１つまたはそれより多くの他の処理ユニット（または、コア）によって行われてもよい。他の実施形態では、他のタイプの集積回路（例えば、ストラクチャド／プラットフォームＡＳＩＣ、フィールドプログラマブルアレイ（ＦＰＧＡ）、および、他のセミカスタムＩＣ）が使われてもよく、それらは、当技術において知られている任意の方法でプログラムされ得る。各モジュールの機能は、また、メモリの中に具現化された命令、１つまたはそれより多くの汎用または特定用途向けプロセッサを用いて、全体または部分的に実装されてもよい。記されたモジュールの各々は、デバイス１０５―ｃの動作に関連付けられた１つまたはそれより多くの機能を行うための手段であり得る。
【００５４】
受信機４０５は、１つまたはそれより多くの移動体デバイスから、１つまたはそれより多くのアンテナ（図示されず）を介して、通信を受信し得る。これらの通信は、移動体デバイス１１０などの複数キャリアの移動体デバイスのための電力ヘッドルーム情報を含む、電力ヘッドルーム報告を含み得る。電力ヘッドルーム決定モジュール４１０は、受信された情報を使用する移動体デバイスにとって利用可能な電力ヘッドルームを計算するように構成され得る。電力ヘッドルーム決定モジュール４１０は、特定の移動体デバイスが電力を制限されていることを決定し、下りリンクモード特定モジュール４１５、および／または、フィードバックバンドル形式モジュール４２０に該情報を与える。
【００５５】
下りリンクモード特定モジュール４１５は、移動体デバイスによる使用のために構成されるコンポーネントキャリアに対する下りリンク送信モードを特定するために動作し得る。上記のように、下りリンク送信モードは、ＡＣＫ／ＮＡＣＫフィードバックが必要とされるいくつかの符号ワードを決定し得る。送信モードは、ＣＣ毎をベースとして構成されてよく、各移動体デバイスは、同じ、または異なるＤＬ送信モードを用いて、異なるＣＣ上で基地局１０５との通信をサポートし得る。送信モードを調節することは、特に、複数の下りリンクコンポーネントキャリアを用いて動作する、電力を制限された移動体デバイスの場合において、フィードバックバンドルをサポートし得る。フィードバックバンドル形式モジュール４２０は、構成された下りリンク送信モード（１つまたは複数）にもとづいて、フィードバックバンドル形式を特定するために動作し得る。送信機４２５は、使用されるべき、特定された下りリンク送信モードとフィードバックバンドル形式を送信し得る。
【００５６】
加えて、フィードバックバンドル形式モジュール４２０は、また、上記したように、反復フィードバック（即ち、ＨＡＲＱ−ＡＣＫ反復）に関する１つまたはそれより多くのパラメータを示すことができる。さらに、例として、フィードバックバンドル形式モジュール４２０は、上記されたと同様に、構成されたＣＣ、起動されたＣＣ、スケジュールされたＣＣ、および／または同等なものを含み得る、ＣＣのサブセットにわたってＣＣフィードバックをバンドルするかどうかを示すことができる。これについて、例えば、フィードバックバンドル形式もジュール４２０は、移動体デバイスに、１つまたはそれより多くのフィードバックフォーマットパラメータを通信し得、移動体デバイスは、フィードバックのオーバヘッドを減らす（および／または、フィードバック送信の信頼性を改善する）ために、１つまたはそれより多くのにしたがって、フィードバックをバンドルする（および／または、反復する）ことができる。
【００５７】
さらに、一例では、下りリンクモード特定モジュール４２０は、必要とされるフィードバックリソースを減らすために、モジュール（移動体）デバイスの電力を制限された状態を決定することに少なくとも部分的にもとづいて、移動体デバイスについての送信モードを決定し得る。これについて、ＣＣのためのフィードバックは、サブフレームあたり１ビットに制限され、したがって、ＣＣのためのバンドルされたフィードバックもまた、サブフレームあたり１ビットであることができる。他の例は、サブフレームあたり１ビットのみが、ＨＡＲＱフィードバック、２ビットフィードバックに係る空間バンドルとＣＣバンドルの組み合わせ、等々について必要とされるように、ＣＣにわたるフィードバックのバンドルと１つのＣＣの中の複数の符号ワードにわたるバンドルとの両方を同時に適用することである。
【００５８】
ここで、図４Ｂを参照して、複数のコンポーネントキャリアのためのフィードバックをバンドルする、ワイヤレス通信システム４００Ｂの例が示される。システム４００Ｂは、記載されるように、基地局１０５―ｄと、ワイヤレスネットワークへのアクセス（接続）を受けるために基地局１０５―ｄと通信し得る移動体デバイス１１０−ｃとを含む。加えて、デバイス１１０−ｃは、基地局１０５―ｄが移動体デバイス１１０−ｃからの劣化した通信品質を経験し得るように、少なくとも、１つの上りリンクコンポーネントキャリア上で、電力を制限されている。例えば、電力の制限は、劣った無線状態、移動体デバイス１１０−ｃによる電力消費における減少（例えば、基地局１０５―ｄまたはその他によって指示される場合）、などによって引き起こされ得る。また、基地局１０５―ｄは、１つまたはそれより多くの構成されたコンポーネントキャリアに関係する電力ヘッドルーム報告に少なくとも部分的にもとづいて、移動体デバイス１１０−ｃが電力を制限されることを決定し得る。移動体デバイス１１０−ｃは、定期的に、または要求に応じて、基地局１０５―ｄに電力ヘッドルーム報告を送ることができる。
【００５９】
基地局１０５―ｄは、上記されたと同様に、送信機モジュール４５５とやり取りができるように接続された、１つまたはそれより多くのアンテナ４５０を含む。ネットワークインタフェース４６０は、ワイヤレス通信システム４００Ｂに関連づけられる１つまたはそれより多くのネットワークへのインタフェースを提供し得る。基地局１０５―ｄは、電力ヘッドルーム決定モジュール４８５、下りリンクモード特定モジュール４９０、フィードバックバンドル形式モジュール４９５、１つまたはそれより多くのプロセッサモジュール４７０、スケジューラ４７２、メモリ４７５、およびソフトウェア４８０を含む。スケジューラ４７２は、１つまたはそれより多くのプロセッサモジュール４７０の中に含まれてもよく、プロセッサモジュール４７０および／またはフィードバックバンドル形式モジュール４９５の影響下で、構成されたキャリアのサブセット上で移動体デバイスをスケジュールし得る。制御モジュール４６５のコンポーネントは、個別に、または集まって、ハードウェアにおいて適用可能な機能のいくつか、または全てを行うために、１つまたはそれより多くの特定用途向け集積回路（ＡＳＩＣ）を用いて実装されてよい。記したモジュールの各々は、基地局１０５―ｃ（ｄ）の動作に関連付けられた１つまたはそれより多くの機能を行うための手段であってよい。
【００６０】
電力ヘッドルーム決定モジュール４８５は、移動体デバイス１１０−ｃが電力を制限されていることを決定し、下りリンクモード特定モジュール４９０および／またはフィードバックバンドル形式モジュール４９５にこの情報を与え得る。下りリンクモード特定モジュール４９０は、その構成されたＣＣ上で移動体デバイス１１０−ｃと通信するための下りリンク送信モードを特定するために動作し得る。フィードバックバンドル形式モジュール４９５は、上記されたと同様に、下りリンク送信モードにもとづいてフィードバックバンドル形式を特定するために動作し得る。基地局１０５―ｄは、したがって、特定された下りリンク送信モードとフィードバックバンドル形式にしたがって移動体デバイス１１０−ｃと通信することができる。
【００６１】
加えて、フィードバックバンドル形式モジュール４９５は、また、上記されたように、ＨＡＲＱ−ＡＣＫ反復に関する１つまたはそれより多くのパラメータを示し得る。さらに、例として、フィードバックバンドル形式モジュール４９５は、上記されたように、ＣＣ、構成されたＣＣ、スケジュールされたＣＣ、等のサブセットについてのＣＣフィードバックをバンドルするかどうかを示し得る。これについて、例えば、フィードバックバンドル形式モジュール４９５は、移動体デバイス１１０−ｃに１つまたはそれより多くのフィードバックフォーマットパラメータを通信し得、移動体デバイス１１０−ｃは、フィードバックオーバヘッドを減らす（および／または、フィードバック送信の信頼性を改善する）ために、上記されたように、１つまたはそれより多くのパラメータにしたがってフィードバックをバンドル（および／または、反復）し得る。プロセッサ（処理）モジュール４７０は、上記されたように、単一のコンポーネントキャリアに対して指定されたバンドルされたフィードバックのフォーマットで、移動体デバイス１１０−ｃから、複数のＣＣのためのフィードバックを得て、通信が複数のＣＣ上で再送信される必要があるかどうかを決定するために、バンドルされたフィードバックを利用することができる。
【００６２】
さらに、一例では、下りリンクモード特定モジュール４９０は、移動体デバイス１１０−ｃの必要とされるフィードバックリソースを減らすために、電力制限に少なくとも部分的にもとづいて、移動体デバイス１１０−ｃのための下りリンク送信モードを決定し得る。したがって、例えば、下りリンクモード特定モジュール４９０は、電力制限に少なくとも部分的にもとづいて、移動体デバイス１１０−ｃのための単一入力・多重出力（ＳＩＭＯ）を決定することができる（例えば、各ＣＣについて）。ＳＩＭＯモード制限は、例えば、ＭＩＭＯモード構成がエラーケースとして扱われるように、明示的に特定され、または、黙示的に行使されることができる。これについて、ＣＣのためのフィードバックは、サブフレームあたり１ビットに制限されることができ、したがって、ＣＣのためのバンドルされたフィードバックは、また、サブフレームあたり１ビットであることができる。他の例は、サブフレームあたり１ビットのみがＨＡＲＱフィードバックのために必要とされるように、ＣＣにわたってフィードバックをバンドルすることと、１つのＣＣの中の複数の符号ワードにわたってバンドルすることとの両方を同時に行使することである。
【００６３】
プロセッサモジュール４７０は、例えば、インテル（登録商標）社やＡＭＤ（登録商標）によって製造されているものなどの中央処理ユニット（ＣＰＵ）、マイクロコントローラ、特定用途向け集積回路（ＡＳＩＣ）、などのインテリジェントなハードウェアデバイスを含んでよい。メモリ４７５は、ランダムアクセスメモリ（ＲＡＭ）、および、読み出し専用メモリ（ＲＯＭ）を含んでよい。メモリ４７５は、実行される（または、コンパイルされ、実行される）と、プロセッサモジュール４７２に、この中に記載された種々の機能（例えば、フィードバックバンドル形式の特定、下りリンク送信モードの特定、など）を行わせるために構成される命令を含む、コンピュータ読出し可能な、コンピュータ実行可能なソフトウェアコード４８０を格納（記憶）し得る。
【００６４】
ここで、図５を参照して、複数のコンポーネントキャリアのためのフィードバックをバンドルする、例示のワイヤレス通信システム５００が示される。システム５００は、基地局１０５―ｅと、記載されたように、ワイヤレスネットワークへのアクセスを受け取るために基地局１０５―ｄ（ｅ）と通信可能な移動体デバイス１１０−ｄとを含む。加えて、移動体デバイス１１０−ｄは、少なくとも、１つの上りリンクコンポーネントキャリア上で、電力を制限され得る。移動体デバイス１１０−ｄは、受信機モジュール５１０と送信機モジュール５１５にやり取りできるように接続された１つまたはそれより多くのアンテナ５０５を含み、それらは、つぎに、制御モジュール５２０に、やり取りできるように接続される。制御モジュール５２０は、１つまたはそれより多くのプロセッサモジュール５２５、プロセッサモジュール５２５による実行のためのソフトウェア５３５を含むメモリ５３０、下りリンクモード特定モジュール５４０、フィードバック形式特定モジュール５４５、および、フィードバック生成モジュール５５０を含む。
【００６５】
プロセッサモジュール５２５は、例えば、インテル（登録商標）社やＡＭＤ（登録商標）により製造されるものなどの中央処理ユニット（ＣＰＵ）、マイクロコントローラ、特定用途向け集積回路（ＡＳＩＣ）、などのインテリジェントハードウェアデバイスを含み得る。メモリ５３０は、ランダムアクセスメモリ（ＲＡＭ）および読み出し専用メモリ（ＲＯＭ）を含み得る。メモリ５３０は、実行されるとき（または、コンパイルされ、実行されるとき）に、プロセッサモジュール５２５に、この中に記載された種々の機能（例えば、フィードバックバンドル形式の特定、下りリンク送信モードの特定、など）を行わせるように構成される命令を含む、コンピュータ読出し可能、コンピュータ実行可能ソフトウェアコード５３５を格納（記憶）し得る。
【００６６】
送信機モジュール５１５は、上記のように、１つまたはそれより多くの上りリンクＣＣ上で、基地局１０５―ｄ（ｅ）（および／または、他の基地局）に送信をすることができる。受信機モジュール５２０は、上記のように、２つまたはそれより多くの下りリンクＣＣ上で、基地局１０５―ｄ（ｅ）（および／または、他の基地局）から、下りリンク送信を受信することができる。下りリンク送信は、下りリンクモード特定モジュール５４０によって特定される、特定の送信モードにしたがって、受信され、処理される。下りリンクモード特定モジュール５４０は、また、上記のようにフィードバックバンドル形式を特定することにおける使用のために、フィードバック形式特定モジュール５４５に情報を与え得る。フィードバック生成モジュール５５０は、複数の下りリンクＣＣ上で受信された（または、受信されない）通信のための１つまたはそれより多くのフィードバック値を初期化し、フィードバック形式特定モジュール５４５により特定されたようなフィードバック形式に、フィードバックをバンドルする。いくつかの態様では、１つまたはそれより多くのフィードバック値を運ぶために用いられるフィードバックフォーマットの大きさ、またはビット幅は、単一のコンポーネントキャリアに関係するフィードバックのために用いられる大きさ、またはビット幅に対応し得る。フィードバック生成モジュール５５０は、また、１つまたはそれより多くのサブフレーム上でフィードバック送信を反復することができるフィードバック反復コンポーネント、および／または、それのためのフィードバックを送信するＣＣのサブセットを決めることができるＣＣ選択コンポーネントを、オプションとして備えることができる。
【００６７】
一例にしたがえば、受信機モジュール５１０は、記載されるように、複数の下りリンクＣＣ上で、基地局１０５−ｅから通信を受けることができる。基地局１０５−ｅは、移動体デバイス１１０−ｄに下りリンク（および／または、上りリンク）ＣＣを割り付ける（例えば、移動体デバイス１１０−ｄのデータレート要求、利用可能なリソース、および／または、同様なものに、少なくとも部分的にもとづいて）ことが認識され得る。記載されるように、フィードバック生成モジュール５５０は、下りリンクＣＣ上で受信される通信に関連付けられるフィードバック値を決定することができる。例えば、フィードバックは、サブフレームにおいて受信された通信に関連付けられたＡＣＫまたはＮＡＣＫ、そのサブフレームにおいて送信される信号に関連付けられた１つまたはそれより多くの符号ワード、などのようなＨＡＲＱフィードバックに関係し得る。
【００６８】
加えて、フィードバック生成モジュール５５０は、フィードバック形式特定モジュール５４５により特定されるようなフィードバックフォーマットに、下りリンクＣＣのフィードバックを結合することができる。例えば、フィードバック生成モジュール５５０は、所与のサブフレーム、その部分、符号ワード、および／または、同等なもののためのフィードバックを結合することができる。フィードバック形式特定モジュール５４５が、サブフレームにおける複数の符号ワードの中の各々の符号ワードについての、下りリンクＣＣに関連付けられたフィードバックを結合し、また、複数の符号ワードにわたって空間バンドルを行うフィードバック形式を特定し得るような一つの例では、１つのフィードバック値は、サブフレームにおいて、移動体デバイス１１０−ｄに関連付けられた実質的にすべての下りリンクＣＣ上での実質的にすべての符号ワードについて生成されることができる。いかなる場合でも、フィードバック生成モジュール５５０は、上りリンクＣＣ上での基地局１０５―ｅへの送信のための、バンドルされたフィードバック値を生成することができる。
【００６９】
一例では、フィードバック形式特定モジュール５４５は、基地局１０５−ｅから受信された１つまたはそれより多くのパラメータに少なくとも部分的にもとづいて（例えば、基地局１０５−ｅが、移動体デバイス１１０−ｄからの送信は電力を制限されていると決定することの結果として）、フィードバック形式を特定する。フィードバック形式特定モジュール５４５は、また、フィードバックが送信されることを確実にするために、チャネル品質指示子（ＣＱＩ）／チャネル状態情報（ＣＳＩ）チャネルフィードバック、データ信号などのような、上りリンクＣＣ上で送信されるべき他の信号をキャンセルし得る。他の例では、信号は、同じまたは異なるＣＣ上でのチャネル状態と上りリンク電力の優先順位づけにしたがって、送信されることができる。結果、フィードバックバンドルを用いると、すべてではないフィードバックが送信され得る。
【００７０】
図６にうつって、一例にしたがったフィードバックバンドルのための動作ステップ６００のフローチャートが記載される。方法６００は、例えば、図１、２、３、４、または５の基地局によって、または、これらの図について記載されたデバイスの任意の組み合わせを用いて行われ得る。この例では、ブロック６０５に示されたように、少なくとも１つの上りリンクキャリア上で移動体デバイスが電力を制限されていることが、まず決定される。そのような決定は、例えば、移動体デバイスから与えられる電力のヘッドルームを用いてなされ得る。移動体デバイスが電力を制限されているとの決定は、また、長期のチャネル状態報告（例えば、基準信号受信電力（ＲＳＲＰ））にもとづき得る。代替的に、または、追加的に、基地局は、デバイスについての電力を推定することができる。基地局は、デバイスが電力を制限されているかどうかを決定するために、推定された、および／または、報告された電力を閾値と比較し得る。ブロック６１０において、移動体デバイスが電力を制限されていることの決定にもとづいて、２つまたはそれより多くの下りリンクコンポーネントキャリア上での下りリンク送信のために、モードが特定される。下りリンク送信モードは、上記されたように、例えば、ＨＡＲＱフィードバックの目的のために単一の符号ワードのみを用いる送信モードなどの、フィードバックバンドルを介してフィードバックペイロードの削減のための能力にもとづいて特定され得る。ブロック６１５において、１つまたはそれより多くのフィードバックバンドル形式は、下りリンク送信の受信を確認するために特定される。上で検討されたように、移動体デバイスについて特定されたバンドル形式は、下りリンクＣＣの１つまたはそれより多くの送信モードに部分的にもとづき得る。バンドル形式は、バンドル技術の組み合わせと、これらの技術が適用される順序を含み得る。特に、バンドル技術は、空間バンドルおよび／またはフィードバック反復と組み合わされたＣＣバンドルを含み得る。効率性と性能のために、バンドル形式は、フィードバック反復の使用に頼る前に、ＣＣバンドルの適用を必要とし得る。
【００７１】
ここで図７を参照して、他の例にしたがったフィードバックバンドルのための動作ステップ７００のフローチャートが記載される。方法７００は、例えば、図１、２、３、４、または５の基地局により、または、これらの図について記載されるデバイスの任意の組み合わせを用いて、行われる。この例では、ブロック７０５において示されるように、少なくとも１つの上りリンクキャリア上で移動体デバイスが電力を制限されていることが、まず決定される。そのような決定は、この中に記載された方法の任意のものなどの任意の適切な方法にしたがってなされる。モードは、ブロック７１０にしたがって、移動体デバイスが電力を制限されていることの決定にもとづいて、２つまたはそれより多くの下りリンクコンポーネントキャリア上での下りリンク送信のために特定される。下りリンク送信モードは、この中に記載された方法の任意のものなどの適切な方法にしたがって特定され得る。ブロック７１５において、１つまたはそれより多くのフィードバックバンドル形式は、下りリンク送信の受信の確認のために特定される。上で検討されたように、移動体デバイスについて特定されるバンドル形式は、下りリンクＣＣの１つまたはそれより多くの送信モードに部分的にもとづき、バンドル技術の組み合わせとこれらの技術が適用される順序を含み得る。
【００７２】
特定されたフィードバックバンドル形式は、ブロック７２０において、移動体デバイスに信号として送られる。そのような信号伝送は、例えば、一般的な制御チャネル通信を通して達成され得る。特定された下りリンク送信モードにしたがう、下りリンクコンポーネントキャリアを用いての移動体デバイスへの下りリンク送信は、ブロック７２５に示されるようになされる。ブロック７３０において、フィードバックは、特定されたフィードバックバンドル形式にしたがって、移動体デバイスから受信される。下りリンク送信は、ブロック７３５において示されるように、フィードバックを示す情報が受信されなかったときに、移動体デバイスに再送信される。例えば、移動体デバイスが、ＮＡＣＫを、基地局に戻す送信をする場合、ＮＡＣＫを示すことの対象であった下りリンク送信が、下りリンクＣＣの１つまたはそれより多くの上で、移動体デバイスに再送信される。
【００７３】
ここで、図８を参照し、一例にしたがって、起動された下りリンクＣＣのみの上でのフィードバックバンドルのための動作ステップ８００のフローチャートが記載される。方法８００は、例えば、図１、２、３、４、または５の基地局により、または、これらの図について記載されたデバイスの任意の組み合わせを用いて、行われる。この例では、ブロック８０５に示されたように、電力を制限された移動体デバイスと通信するための複数の下りリンクコンポーネントキャリアが構成される。構成された下りリンクコンポーネントキャリアのサブセットは、ブロック８１０にしたがって、起動される。最後に、ブロック８１５において、起動された下りリンクコンポーネントキャリアＡＣＫ／ＮＡＣＫについてＡＣＫ／ＮＡＣＫをバンドルするための形式が特定される。使用されるバンドル形式は、その上でバンドルが実行されるべき起動されたＣＣに関連付けられるさらなる情報を用いて、この中に記載される技法などの任意の適切な技法にもとづいて決定され得る。バンドル形式と起動されたキャリアは移動体デバイスに与えられ得、起動された下りリンクチャネル上でのバンドル形式にしたがって実行されるフィードバックをともなう。
【００７４】
図９を参照して、一例のしたがってスケジュールされた下りリンクＣＣのみの上でのフィードバックバンドルのための動作ステップ９００のフローチャートが記載される。方法９００は、例えば、図１、２、３、４、または５の基地局により、または、これらの図について記載されたデバイスの任意の組み合わせを用いて、行われ得る。この例において、電力を制限された移動体デバイスと通信するための複数の下りリンクコンポーネントキャリアが、ブロック９０５において示されたように、構成される。構成された下りリンクコンポーネントキャリアのサブセットは、ブロック９１０にしたがって、通信のためにスケジュールされる。すなわち、特定の下りリンク送信のために、下りリンクＣＣのサブセットのみが下りリンク送信のために用いられるであろうことが決定される。最後に、ブロック９１５において、スケジュールされた下りリンクコンポーネントキャリアＡＣＫ／ＮＡＣＫについてのＡＣＫ／ＮＡＣＫバンドルのための形式が特定される。用いられるバンドル形式は、この中に記載された技法などの任意の適切な技法にもとづいて決定され得る。その上でバンドルが実行されるべきスケジュールされたＣＣに関連付けられる情報は、下りリンク割付け指示子（downlink assignment index (DAI)）にしたがって基地局によって与えられ得、この情報が下りリンク送信以前に移動体デバイスに通信されることをともなう。移動体デバイスに通信される情報は、例えば、単に、ビットマップであり得、起動されたコンポーネントキャリアの各々について単一のビットであり、各ビットの状態が対応するＣＣが下りリンク通信を含む、または、含まないことを示すことをともなう。バンドル形式とスケジュールされたキャリア波、移動体デバイスに与えられ得、フィードバックがスケジュールされた下りリンクチャネル上でのバンドル形式にしたがって行われることをともなう。
【００７５】
ここで、図１０を参照して、一例にしたがったフィードバックバンドルのための動作ステップ１０００のフローチャートが記載される。方法１０００は、例えば、図１、２、３、４、または５の移動体デバイスにより、または、これらの図について記載されたデバイスの任意の組み合わせを使用して、行われる。この例では、下りリンク送信が、ブロック１００５に示されたように、複数の下りリンクコンポーネントキャリア上で受信される。モードが、ブロック１０１０において、受信された下りリンク送信のために特定される。特定されたモードは、上記された下りリンク送信モードの内の１つなどの特定の下りリンク送信モードである。１つまたはそれより多くのフィードバックバンドル形式は、ブロック１０１５にしたがって、電力を制限された移動体デバイスのためのモードに関連づけられたものとして特定される。フィードバックバンドル形式は、上記されたような形式の内の１つまたはそれより多くのものであってよい。ブロック１０２０において、フィードバックは、フィードバックバンドル形式にしたがって、下りリンクコンポーネントキャリア上での下りリンク送信の受信を確認するためにバンドルされる。最後に、ブロック１０２５において、バンドルされたフィードバックは、上りリンクキャリア上で、基地局に送信される。
【００７６】
この中に記載された技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどの様々なワイヤレス通信ネットワークのために使用され得る。「ネットワーク」および「システム」の用語は、度々、互換的に用いられる。ＣＤＭＡネットワークは、ユニバーサル地上無線接続（Universal Terrestrial Radio Access (UTRA)）、ｃｄｍａ２０００などのような無線技術を実装し得る。ＵＴＲＡは、広帯域ＣＤＭＡ（Ｗ−ＣＤＭＡ）および低チップレート（ＬＣＲ）を含む。ｃｄｍａ２０００は、ＩＳ−２０００、ＩＳ−９５、およびＩＳ−８５６の規格をカバーする。ＴＤＭＡネットワークは、移動体通信用グローバルシステム（ＧＳＭ（登録商標））などの無線技術を実装し得る。ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ―ＯＦＤＭ（登録商標）などの無線技術を実装し得る。ＵＴＲＡ、Ｅ−ＵＴＲＡ、およびＧＳＭは、ユニバーサル移動体通信システム（ＵＴＭＳ）の部分をなす。ロングタームエボリューション（ＬＴＥ）は、Ｅ−ＵＴＲＡを使用するＵＭＴＳの来たるリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）という名の組織からの文献に記載される。ｃｄｍａ２０００は、「第３世代パートナーシッププロジェクト２」（３ＧＰＰ２）という名の組織からの文献に記載される。これら種々の無線技術や規格は、当技術において知られている。
【００７７】
添付の図面に関連して上に記載される詳細な説明は例を記載するもので、実装され得る、または請求項の範囲に入る唯一の実施形態を表すものではない。詳細な説明は、記載された技法の理解を与える目的のために特定の詳細例を含む。しかし、これらの技法は、これらの特定の詳細例なしでも実施され得る。いくつかの例では、周知の構造やデバイスが、記載された実施形態のコンセプトを不明瞭にすることを避けるために、ブロック図で示される。
【００７８】
情報や信号は、さまざまな異なる技術や技法の任意のものを用いて表現される。例えば、上の記載を通して参照され得る、データ、命令、コマンド、情報、信号、ビット、シンボル、およびチップは、電圧、電流、電磁波、磁場または磁粒子、光の場または光粒子、または、それらの任意の組み合わせにより表現され得る。
【００７９】
この中の開示に関連して記載される種々の例示のブロックやモジュールは、汎用プロセッサ、デジタル信号プロセッサ（ＤＳＰ）、特定用途向け集積回路（ＡＳＩＣ）、フィールドプログラマブル・ゲートアレイ（ＦＰＧＡ）、または他のプログラマブル論理デバイス、個別ゲートまたはトランジスタロジック、個別ハードウエアコンポーネント、またはこの中に記載の機能を実行するために設計された、それらの任意の組み合わせを用いて、実装され、または実行され得る。汎用プロセッサはマイクロプロセッサであってよく、しかし、代わりに、プロセッサは、従来のプロセッサ、コントローラ、マイクロコントローラ、状態マシンであってよい。プロセッサは、また、ＤＳＰとマイクロプロセッサとの組み合わせ、複数のマイクロプロセッサ、ＤＳＰコアと接合された１つまたはそれより多くのマイクロプロセッサ、または任意の他のそのような構成など、計算処理デバイスの組み合わせとして実装されてもよい。
【００８０】
この中に記載された機能は、ハードウェア、プロセッサにより実行されるソフトウェア、ファームウェア、または、それらの任意の組み合わせであってよい。プロセッサにより実行されるソフトウェアにおいて実装される場合、機能は、コンピュータ可読媒体上の１つまたはそれより多くの命令またはコードとして格納（記憶）され、または送信され得る。他の例や実装形態は、開示や添付の請求項の範囲や意図（spirit）の中にはいる。例えば、ソフトウェアの特質により、上記された機能は、プロセッサ、ハードウェア、ファームウェア、ハードワイヤリング、または、これらの任意のものの組み合わせを用いて実装されることができる。機能を実装する態様は、また、機能の複数の部分が異なる物理的位置に実装されるように分散されることを含み、様々な位置に物理的に配置され得る。また、請求項においてを含み、この中で用いられることとして、「少なくとも１つの」により始められる項目のリストにおいて用いられる「または（ｏｒ）」は、例えば、「Ａ、Ｂ、またはＣの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するように、離散的なリストを示す。
【００８１】
コンピュータ可読媒体は、コンピュータプログラムの１カ所から他への転送を容易にする任意の媒体を含み、コンピュータ格納（記憶）媒体と通信媒体との両方を含む。格納媒体は、汎用または特定用途コンピュータによってアクセスされ得る任意の利用可能な媒体であってよい。例としてであり、限定ではなく、コンピュータ可読媒体は、ＲＡＭ、ＲＯＭ、ＥＥＰＲＯＭ、ＣＤ−ＲＯＭ、または他の光ディスク記憶、磁気ディスク記憶または他の磁気的格納デバイス、または、命令またはデータ構造の形で所望のプログラムコード手段を運ぶ、または格納するために用いられ得る、および、汎用または特定用途向けコンピュータ、または、汎用または特定用途向けプロセッサによりアクセスされ得る任意の他の媒体を備えることができる。また、任意の接続も、正当に、コンピュータ可読媒体の用語とされる。例えば、ソフトウェアが、同軸ケーブル、光ファイバケーブル、撚り対線、または、デジタル加入者線（ＤＳＬ）を用いて、ウェブサイト、サーバ、または、他の遠隔ソースから送信される場合、その同軸ケーブル、光ファイバケーブル、撚り対線、または、ＤＳＬは、媒体の定義に含まれる。この中で用いられるディスク（disk および disc）は、コンパクトディスク（ＣＤ）、レーザディスク、光ディスク、デジタルバーサタイルディスク（ＤＶＤ）、フロッピー（登録商標）ディスク、および、ｂｌｕ−ｒａｙディスクを含み、一般的に、「disk」は磁気的にデータを再生するもので、一方、「disc」は、レーザを用いて、データを光学的に再生する。上記の組み合わせも、また、コンピュータ可読媒体の範囲に含まれる。
【００８２】
本開示の先の記載は、当技術において技量をもつ者が本開示を製造し、または使用することができるように提供される。本開示へのさまざまな変更は、当技術において技量をもつ者にとって容易に明らかになるとともに、この中で定義された包括的な原理は、本開示の意図（spirit）または範囲から逸脱することなく、他の変形例に適用され得る。本開示を通じて、例（example）または例示（exemplary）の用語は、例や事例を示すもので、示された例が好ましいことを示唆したり、要求したりするものではない。したがって、記載は、この中に記載された例や設計例に限定されるためではなく、この中に記載された原理および新規な態様と合致する最も広い範囲を与えられるためにある。
【図１】
2013537778.tif 000005
【図２】
2013537778.tif 000006
【図３】
2013537778.tif 000007
【図４Ａ】
2013537778.tif 000008
【図４Ｂ】
2013537778.tif 000009
【図５】
2013537778.tif 000010
【図６】
2013537778.tif 000011
【図７】
2013537778.tif 000012
【図８】
2013537778.tif 000013
【図９】
2013537778.tif 000014
【図１０】
2013537778.tif 000015
【国際調査報告】
2013537778.tif 000016
2013537778.tif 000017